(57)【特許請求の範囲】
【請求項１】
分離式レンズモジュールの組立方法において、
少なくとも一つの光学レンズを鏡筒部材の内部空間に組み立てて調整待ちレンズアセンブリを形成するステップ（Ａ）と、
少なくとも一つの光学レンズを支持構造物の内部空間に組み立てて固定レンズアセンブリを形成するステップであって、前記支持構造物は、焦点調整機構の内部に配置され、前記焦点調整機構の通電によって移動する、ステップ（Ｂ）と、
前記調整待ちレンズアセンブリと前記固定レンズアセンブリを予め組み立てて、前記調整待ちレンズアセンブリを調整可能な、分離式レンズモジュールを形成するステップ（Ｃ）と、
予め組み立てられた撮像モジュールに通電して、前記撮像モジュールの結像画像を取得するステップ（Ｄ）と、
前記撮像モジュールの結像画像に基づいて、前記撮像モジュールの結像画像が解像度の要求に合致するように調整待ちレンズアセンブリを調整する調整方式及び調整量を算出するステップ（Ｅ）と、
算出された調整方式及び調整量に基づいて、前記調整待ちレンズアセンブリの組立位置を調整するステップ（Ｆ）と、
を含むことを特徴とする分離式レンズモジュールの組立方法。
【請求項２】
前記ステップ（Ａ）において、ジグに備えられている溝に前記鏡筒部材を逆さまに配置してから、各前記光学レンズを前記鏡筒部材の高さ方向に沿って前記鏡筒部材の内部空間に装着して固定する、請求項１に記載の分離式レンズモジュールの組立方法。
【請求項３】
前記ステップ（Ｂ）において、
前記支持構造物及び前記焦点調整機構のそれぞれを、ジグに備えられている第１の支持部及び第２の支持部に逆さまに固定してから、各前記光学レンズを前記支持構造物の高さ方向に沿って前記支持構造物の内部空間に装着して固定する、請求項１に記載の分離式レンズモジュールの組立方法。
【請求項４】
前記ステップ（Ｂ）において、
前記支持構造物及び前記焦点調整機構のそれぞれを、前記鏡筒部材の底部及びジグに備えられている第２の支持部に逆さまに装着してから、各前記光学レンズを前記支持構造物の高さ方向に沿って前記支持構造物の内部空間に装着して固定する、請求項１に記載の分離式レンズモジュールの組立方法。
【請求項５】
前記ステップ（Ｃ）において、
前記ジグから前記固定レンズアセンブリを取り外して、組立完成された前記調整待ちレンズアセンブリを前記固定レンズアセンブリの上部に予め組み立て、
前記調整待ちレンズアセンブリの組立位置は、前記固定レンズアセンブリの空間位置に対して少なくとも１つの方向へ調整可能である、請求項３に記載の分離式レンズモジュールの組立方法。
【請求項６】
前記ステップ（Ｃ）において、
前記調整待ちレンズアセンブリと前記固定レンズアセンブリを予め組み立てる前に、前記鏡筒部材の底部または前記支持構造物の上部に接着剤を塗布することにより、前記支持構造物と前記鏡筒部材が接着剤によって予め組み立てられ、
前記調整待ちレンズアセンブリの組立位置は、少なくとも一つの方向へ調整可能である、
請求項４に記載の分離式レンズモジュールの組立方法。
【請求項７】
前記ステップ（Ｃ）において、
前記固定レンズアセンブリの上部又は前記調整待ちレンズアセンブリの底部に接着剤を塗布することにより、前記調整待ちレンズアセンブリと前記固定レンズアセンブリとが接着剤によって予め組み立てられる、請求項５に記載の分離式レンズモジュールの組立方法。
【請求項８】
前記鏡筒部材と前記支持構造物は、前記ジグに備えられている第１の支持部によって支持され、前記焦点調整機構は、前記第２の支持部によって支持され、
前記第１の支持部及び前記第２の支持部により形成される溝は、前記支持構造物における前記焦点調整機構よりも高い部分と前記鏡筒部材とを収容することができ、
前記溝の深さは、前記鏡筒部材の高さと、前記支持構造物における前記焦点調整機構よりも高い部分の高さとの和と同じである、請求項６に記載の分離式レンズモジュールの組立方法。
【請求項９】
前記第１の支持部と前記第２の支持部の形状およびサイズは、それぞれ前記支持構造物と前記鏡筒部材の形状および大きさとマッチングされ、
前記第１の支持部と前記第２の支持部により形成される溝は、前記支持構造物における前記焦点調整機構よりも高い部分を収容することができ、
前記溝の深さは、前記支持構造物と前記焦点調整機構間の高さの差と同じである、
請求項７に記載の分離式レンズモジュールの組立方法。
【請求項１０】
前記支持構造物と前記焦点調整機構は、前記ジグに備えられている少なくとも２つの空気通路によって固定され、各前記空気通路は、前記ジグの上部と底部に連通され、前記空気通路は、前記第１の支持部と前記第２の支持部にそれぞれ配置されることにより、ノズルまたは真空機器を用いて前記空気通路を介して前記支持構造物と前記焦点調整機構を固定することができる、
請求項８または９に記載の分離式レンズモジュールの組立方法。
【請求項１１】
予め組み立て用の接着剤は、ＵＶ接着剤と熱硬化接着剤との混合剤であり、紫外線照射を介して前記接着剤が半硬化されて予め組み立てを実現し、前記接着剤がベーキング処理を経て完全に硬化されることにより、前記分離式レンズモジュールを全体的に固定する、
請求項１０に記載の分離式レンズモジュールの組立方法。
【請求項１２】
前記調整待ちレンズアセンブリの組立位置のＸ、Ｙ、Ｚ、Ｕ、Ｖ、Ｗの６つの軸方向へ調整可能であり、前記Ｕ、Ｖ、Ｗは、それぞれ、Ｘ軸回り方向、Ｙ軸回り方向、Ｚ軸回り方向を表す、請求項８または９に記載の分離式レンズモジュールの組立方法。
【請求項１３】
前記ステップ（Ｂ）において、
前記支持構造物は、前記焦点調整機構の内部に装着されて、前記焦点調整機構のホルダーとして、前記焦点調整機構の通電によって前記焦点調整機構に沿って移動する、請求項８または９に記載の分離式レンズモジュールの組立方法。
【請求項１４】
前記ステップ（Ｂ）において、
前記支持構造物は、前記焦点調整機構の内部に装着されて、前記焦点調整機構のホルダーとして、前記焦点調整機構の通電によって前記焦点調整機構に沿って移動する、
請求項１１に記載の分離式レンズモジュールの組立方法。
【請求項１５】
前記ステップ（Ｂ）において、前記焦点調整機構が前記支持構造物と一体に予め連結され、或いは、
前記ステップ（Ｂ）において、前記支持構造物が前記焦点調整機構の内部に予め組み立てられることにより、ステップ（Ｃ）において前記焦点調整機構と前記支持構造物を連結するようにする、請求項１３に記載の分離式レンズモジュールの組立方法。
【発明の詳細な説明】
【技術分野】
【０００１】
本発明は、撮像モジュールに関し、より詳細に、焦点調整機構が組み込まれているレンズアセンブリ、撮像モジュールおよびその組立方法に関する。
【背景技術】
【０００２】
撮像モジュールの市場の激しい競争と伴い、製造コストの削減、生産性の増加と撮像モジュールの画像品質の向上が、撮像モジュールの製造者が絶えず追求する目標となっている。
【０００３】
一般的に、調整可能な焦点調整撮像モジュールは、レンズアセンブリ、焦点調整機構と感光性チップなどの重要な構成要素で構成されている。焦点調整可能な撮像モジュールの製造は、一般的に、これらの部品の組み立てであり、レンズアセンブリおよび焦点調整機構自体の製造も、いくつかの部品を組み立てた後、組み立てられたレンズアセンブリと焦点調整機構を組み立て、さらに、感光性デバイスと組み立てて、撮像モジュールの組立を完了するものである。これらの組立方法は、次のような問題点をある。まず、組立工程が比較的に面倒で、結果的に、撮像モジュールの生産性が低下する。第二に、組立工程でのレンズアセンブリと焦点調整機構との間の組立公差と、レンズアセンブリと焦点調整機構自体の組立公差自体が比較的長い公差チェーンをもたらして、モジュールの品質に影響を与える。第三に、このように組み立てられたモジュールは、撮像モジュールの軽薄化の発展に不利になる。第四に、組立過程で、レンズアセンブリと焦点調整機構にほこりが容易に浸入し、汚れなどの欠陥が発生する可能性がある。これは、レンズアセンブリと焦点調整機構との間の接続が十分に密接しなくて、両者の間に小さな隙間が存在するので、レンズアセンブリと焦点調整機構との間にほこりが引き込まれ、このような汚れを除去するのは非常に難しい。また、モジュール内部の汚れが長時間削除されない場合、レンズアセンブリ、焦点調整機構と撮像モジュール全体が汚染されて、撮像モジュールの結像画質と耐用年数に影響を与える可能性がある。その結果、撮像モジュールを備えている製品全体の品質に影響を与えることになる。
【０００４】
レンズアセンブリは、互いに重なって装着されている複数のレンズを含む。各レンズの中心軸の位置は、レンズアセンブリの中心軸に影響を与える。理想的な状況は、レンズの中心軸が一致する場合である。しかしながら、パッケージ工程の限界と供給材料の品質のために、各レンズの中心軸は、一定の偏差を持つ可能性がある。また、各レンズは、接着剤や溶接方法で鏡筒にパッケージされなければならないため、パッケージ工程がレンズの位置と傾きに影響を与え、各レンズの中心軸に大きなばらつきが発生する可能性がある。レンズアセンブリと感光性チップを一緒にパッケージして撮像モジュールを構成する場合に、レンズアセンブリの中心軸が感光性チップの中心軸と一致するように確保しにくいため、偏心や傾きが発生する可能性がある。その結果、撮像モジュールの結像画質に大きな影響を与え、撮像モジュールの良品率を制御し確保しにくくなる。したがって、製造時の撮像モジュールの結像画質を確保する方法は、早急に解決すべき技術的課題として残っている状況である。
【０００５】
また、分離式レンズモジュールの場合、撮像モジュールを形成するために、各鏡筒を組み立てる過程で、鏡筒間の組み立てにも組立公差が発生し、従来の分離式レンズアセンブリの各レンズアセンブリは、一緒に固定されて分離式レンズモジュールを形成する。さらに、製造された分離式レンズモジュールは、補正することができない。これらの公差は、レンズアセンブリの不安定な光学的品質の原因となる可能性がある。これにより、撮像モジュール全体の生産性と画像品質に影響を与える。したがって、撮像モジュールのレンズモジュールの製造過程で、製造された分離式レンズアセンブリの結像画質をどのように確保するかが早急に解決される問題である。
【０００６】
したがって、撮像モジュールの製造工程において、上記問題を効果的に解決することが、撮像モジュールの製造良品率や品質を向上させるポイントである。
【発明の概要】
【発明が解決しようとする課題】
【０００７】
本発明の一つ目的は、上記先行技術で提示されているレンズアセンブリとモジュールの組立公差チェーンが長すぎて、生産性が低く、製造コストが高く、モジュールのサイズが大きく、モジュールの結像品質が悪いという問題を解決するように、焦点調整機構が組み込まれているレンズアセンブリ、撮像モジュールおよびその組立方法を提供することにある。
【０００８】
本発明の一つ目的は、焦点調整機構のホルダーとレンズアセンブリの鏡筒を一体に製造して、鏡筒と焦点調整機構のホルダーとの間の組立工程を減らし、さらに、撮像モジュールの全体的な組立工程を簡単化して、生産性と結像品質の向上に有利な、焦点調整機構が組み込まれているレンズアセンブリ、撮像モジュールおよびその組立方法を提供することにある。
【０００９】
本発明の一つ目的は、光学レンズを焦点調整機構のホルダーに直接に組み立てることにより、従来の光学レンズと鏡筒を組み立てた後、鏡筒を焦点調整機構のホルダーに組み立てる方法を改善して、組立公差チェーンを短縮し、モジュールの製造良品率の向上、およびモジュールの組立コストの低減に有利な、焦点調整機構が組み込まれているレンズアセンブリ、撮像モジュールおよびその組立方法を提供することにある。
【００１０】
本発明の一つ目的は、支持構造物で従来の焦点調整機構のホルダーとレンズアセンブリの鏡筒を置き換えることにより、レンズアセンブリおよびモジュールのサイズを減らし、撮像モジュールの軽薄化の発展に有利な、焦点調整機構が組み込みられているレンズアセンブリ、撮像モジュールおよびその組立方法を提供することにある。
【００１１】
本発明の一つ目的は、焦点調整機構のホルダーを鏡筒の構造形状に設計して、光学レンズを直接支持して、レンズを移動させることにより、焦点調整の効果を向上させることができる、焦点調整機構が組み込みられているレンズアセンブリ、撮像モジュールおよびその組立方法を提供することにある。
【００１２】
本発明の一つ目的は、焦点調整機構が組み込まれているレンズアセンブリ、撮像モジュールおよびその組立方法を提供することにある。ここで、上記撮像モジュールの感光性デバイスは、ＣＯＢプロセスまたはフリップチップ工程によって製造されることができるので、選択範囲が広く、撮像モジュールの製造がより便利になり、フリップチップ工程を利用する感光性デバイスは、上記撮像モジュールのサイズをより減らすことができ、構造がコンパクトになる。
【００１３】
本発明の一つ目的は、レンズと焦点調整機構のホルダーとの間の組み立てを省略することにより、従来の組立方法で両者の間にほこりが引き込まれることを防止して、撮像モジュールの結像品質の確保に有利な、焦点調整機構が組み込まれているレンズアセンブリ、撮像モジュールおよびその組立方法を提供することにある。
【００１４】
本発明の一つ目的は、焦点調整機構が組み込まれているレンズアセンブリを相応するジグ（ｊｉｇ）によって固定することにより、光学レンズ２０１１の装着に有利な、焦点調整機構が組み込まれているレンズアセンブリ、撮像モジュールおよびその組立方法を提供することにある。
【００１５】
本発明の一つ目的は、ジグで組み立てることにより、組立方法がさらに簡単になり、作業がより便利になり、時間が短縮されて、広く普遍化することができる、焦点調整機構が組み込まれているレンズアセンブリ、撮像モジュールおよびその組立方法を提供することにある。
【００１６】
本発明の一つ目的は、焦点調整機構が組み込まれているレンズアセンブリ、撮像モジュールおよびその組立方法を提供することにある。ここで、上記組み立てに補助的に使用されるジグは、レンズモジュールとマッチングされて、レンズモジュールを固定して、光学レンズの装着に有利だけでなく、ズレや傾きなどの現象が発生することを防止して、レンズモジュールの組み立て精度を確保することができる。
【００１７】
本発明の一つ目的は、焦点調整機構が組み込まれているレンズアセンブリ、撮像モジュールおよびその組立方法を提供することにある。ここで、少なくとも一つの光学レンズを予め組み立てて調整可能なレンズとすることにより、調整可能な光学レンズアセンブリを形成して、その後の工程で組み立て済みの光学レンズを少なくとも１つの方向へ調整して、撮像モジュールの結像品質を確保することができる。
【００１８】
本発明の一つ目的は、焦点調整機構が組み込まれているレンズアセンブリ、撮像モジュールおよびその組立方法を提供することにある。ここで、調整可能な光学レンズアセンブリと感光性チップをパッケージして撮像モジュールを形成する過程で、調整可能なレンズの調整によって、撮像モジュールの結像画像が目的の解像度の要求を満たし、さらに、撮像モジュールの製造過程で製造後の結像品質を確保することができ、撮像モジュールの信頼性を確保し、生産性を向上させることができる。
【００１９】
本発明の一つ目的は、焦点調整機構が組み込まれているレンズアセンブリ、撮像モジュールおよびその組立方法を提供することにある。ここで、予め組み立てられた光学レンズを支持構造物に装着して、上記支持構造物で従来の焦点調整機構のホルダーとレンズアセンブリの鏡筒を置き換えることにより、レンズアセンブリおよびモジュールのサイズを減らし、撮像モジュールの軽薄化の発展に有利するようにする。
【００２０】
本発明の一つ目的は、焦点調整機構が組み込まれているレンズアセンブリ、撮像モジュールおよびその組立方法を提供することにある。ここで、上記支持構造物に少なくとも一つの調整通路が備えられ、光学レンズ２０１１が上記光学構造物の内部空間に装着されて調整可能な光学レンズアセンブリを形成する場合に、調整可能なレンズは上記支持構造物の内部空間で調整通路に対応され、調整通路を介して上記支持構造物の外部環境から上記支持構造物の内部空間での調整可能なレンズの位置を調整することができますので、作業が便利になる。
【００２１】
本発明の一つ目的は、焦点調整機構が組み込まれているレンズアセンブリ、撮像モジュールおよびその組立方法を提供することにある。上記撮像モジュールをパッケージする過程で、調整可能なレンズを調整して、調整可能な光学レンズアセンブリの中心軸線と感光性チップの中心軸線とが重畳され、または許容偏差の範囲に位置するように調整することにより、上記撮像モジュールの良品率を確保し、上記撮像モジュールの結像品質を向上させることができる。
【００２２】
本発明の一つ目的は、焦点調整機構のホルダーとレンズアセンブリの鏡筒を一体に製造することにより、鏡筒と焦点調整機構のホルダーとの間の組立工程を削減し、さらに、撮像モジュールの全体的な組立工程を簡単化して、組立公差チェーンを短くして、生産性の向上、製品の良品率や結像品質の向上に有利な、焦点調整機構が組み込まれているレンズアセンブリ、撮像モジュールおよびその組立方法を提供することにある。
【００２３】
本発明の一つ目的は、焦点調整機構のホルダーを鏡筒の構造形状に設計して、光学レンズを直接支持して、レンズを移動させることにより、焦点調整の効果を向上させることができる、焦点調整機構が組み込みられているレンズアセンブリ、撮像モジュールおよびその組立方法を提供することにある。
【００２４】
本発明の一つ目的は、レンズと焦点調整機構のホルダーとの間の組み立てを省略することにより、従来の組立方法で両者の間にほこりが引き込まれることを防止して、撮像モジュールの結像品質の確保に有利な、焦点調整機構が組み込まれているレンズアセンブリ、撮像モジュールおよびその組立方法を提供することにある。
【００２５】
本発明の一つ目的は、焦点調整機構が組み込まれているレンズアセンブリ、撮像モジュールおよびその組立方法を提供することにある。ここで、上記方法で製造した調整可能な光学レンズアセンブリは、構造上でよりコンパクトになり、様々な応用情景に適用できるので、応用範囲が拡大されることができる。
【００２６】
本発明の一つ目的は、ジグで組み立てることにより、組立方法がさらに簡単になり、作業がより便利になり、時間が短縮されて、広く普遍化することができる、焦点調整機構が組み込まれているレンズアセンブリ、撮像モジュールおよびその組立方法を提供することにある。
【００２７】
本発明の一つ目的は、焦点調整機構が組み込まれているレンズアセンブリ、撮像モジュールおよびその組立方法を提供することにある。ここで、上記組み立てに補助的に使用されるジグは、調整可能な光学レンズアセンブリとマッチングされて、調整可能な光学レンズアセンブリを固定して、光学レンズの装着に有利だけでなく、ズレや傾きなどの現象が発生することを防止して、調整可能な光学レンズアセンブリの組み立て精度を確保することができる。
【００２８】
本発明の一つ目的は、焦点調整機構が組み込まれているレンズアセンブリ、撮像モジュールおよびその組立方法を提供することにある。ここで、従来の撮像モジュールのレンズモジュールの組み立てのステップに存在する欠陥を解消して、レンズアセンブリの組み立てと調整を撮像モジュール全体の組み立てにステップに組み合わせることにより、撮像モジュールの結像品質を向上させることができる。
【００２９】
本発明の一つ目的は、焦点調整機構が組み込まれているレンズアセンブリ、撮像モジュールおよびその組立方法を提供することにある。上記撮像モジュールは、パッケージ前に調整や補正を行うことにより、分離式レンズアセンブリと撮像モジュール全体の加工工程を減らし、生産性を向上させることができ、製造コストを削減することができる。
【００３０】
本発明の一つ目的は、焦点調整機構が組み込まれているレンズアセンブリ、撮像モジュールおよびその組立方法を提供することにある。ここで、レンズアセンブリは、少なくとも一つの調整可能なレンズアセンブリを含み、調整可能なレンズアセンブリのそれぞれは、少なくとも一つの光学レンズ２０１１と、少なくとも一つの鏡筒部材とを含み、調整可能なレンズアセンブリのそれぞれの組立位置は、調整可能であることにより、製造されたレンズアセンブリの全体的な光学的品質を向上させることができる。
【００３１】
本発明の一つ目的は、焦点調整機構が組み込まれているレンズアセンブリ、撮像モジュールおよびその組立方法を提供することにある。ここで、鏡筒部材の組立位置を調整することにより、前の手順での公差を補償して、撮像モジュールの他の部材の組立公差の要求を下げ、生産性を向上させ、組立コストを低減させることができる。
【００３２】
本発明の一つ目的は、焦点調整機構が組み込まれているレンズアセンブリ、撮像モジュールおよびその組立方法を提供することにある。ここで、各調整待ちレンズアセンブリは、様々な方向へ調整可能なので、より便利に調整することができるだけでなく、組み立て精度と結像品質の確保に有利である。
【００３３】
本発明の一つ目的は、焦点調整機構が組み込まれているレンズアセンブリ、撮像モジュールおよびその組立方法を提供することにある。ここで、光学レンズを支持構造物に装着して固定レンズアセンブリを形成することにより、上記支持構造物で従来の焦点調整可能な装置のホルダーとレンズアセンブリの鏡筒を置き換えて、レンズアセンブリおよびモジュールのサイズを減らし、撮像モジュールの軽薄化の発展に有利になる。
【００３４】
本発明の一つ目的は、焦点調整機構のホルダーを鏡筒の構造形状に設計して、光学レンズを直接支持して、レンズを移動させることにより、焦点調整の効果を向上させることができる、焦点調整機構が組み込みられているレンズアセンブリ、撮像モジュールおよびその組立方法を提供することにある。
【課題を解決するための手段】
【００３５】
本発明の上記少なくとも一つの一つ目的を実現するために、本発明の一側面では、焦点調整機構が組み込まれているレンズモジュールを提供し、上記レンズモジュールは、
少なくとも一つの光学レンズと、
焦点調整機構と、
支持構造物と、を含み、
４つの上記光学レンズが上記支持構造物の高さ方向に沿って、上記支持構造物に備えられている収納室の内部に装着され、上記支持構造物の内壁は、上記収納室の方向に延長されて少なくとも一つの固定部を形成し、上記固定部は、各上記光学レンズを装着することができ、上記支持構造物は、上記焦点調整機構のホルダーとして上記焦点調整機構の内部に接続され、ここで、上記支持構造物は、上記焦点調整機構の通電によって移動し、上記光学レンズのそれぞれが動くように駆動することにより、焦点調整を行うことができる。
【００３６】
本発明の他の一側面では、撮像モジュールを提供し、上記撮像モジュールは、感光性デバイスとレンズモジュールとを含み、
上記感光性デバイスは、フィルタ、レンズベースと回路基板を含み、上記フィルタと上記感光性チップは、上記レンズベースの内部に装着され接続され、上記フィルタは、上記感光性チップの上部に配置され、上記回路基板は、上記レンズベースの底部に装着され、
上記レンズモジュールは、上記感光性チップの感光経路に装着されており、
上記レンズモジュールは、
少なくとも一つの光学レンズと、
焦点調整機構と、
支持構造物と、を含み、
４つの上記光学レンズが上記支持構造物の高さ方向に沿って、上記支持構造物に備えられている収納室の内部に装着され、上記支持構造物の内壁は、上記収納室の方向に延長されて少なくとも一つの固定部を形成し、上記固定部は、各上記光学レンズを装着することができ、上記支持構造物は、上記焦点調整機構のホルダーとして上記焦点調整機構の内部に接続され、ここで、上記支持構造物は、上記焦点調整機構の通電によって移動し、上記光学レンズのそれぞれが動くように駆動することにより、焦点調整を行うことができる。
【００３７】
本発明に他の一側面では、焦点調整機構が組み込まれている調整可能な光学レンズアセンブリを提供し、上記調整可能な光学レンズアセンブリは、
それぞれ第１の光学レンズ、第２の光学レンズ、第３の光学レンズ及び第４の光学レンズである４つの光学レンズと、
焦点調整機構と、
支持構造物と、を含み、
各上記光学レンズは、上記支持構造物の高さ方向に沿って上記支持構造物の内部空間に装着され、上記第１の光学レンズは、上記調整可能な光学レンズアセンブリの上部に位置し、上記第１の光学レンズは、調整可能なレンズとして上記支持構造物に予め組み立てられ、上記支持構造物における上記調整可能なレンズの位置は調整可能であり、上記支持構造物は、上記焦点調整機構のホルダーとして上記焦点調整機構の内部にさらに接続され、  上記焦点調整機構の通電に応じて動作し、焦点調整を行うことができ、
ここで、上記支持構造物は、調整通路を備え、上記調整通路は、上記支持構造物の内部空間と外部環境に接続し、上記第１の光学レンズの位置と対応されて、第１の光学レンズの組立位置を調整するようにする。
【００３８】
一部の実施形態によれば、上記支持構造物の上部に固定通路が備えられ、上記固定通路は、上記第１の光学レンズと対応されて、上記第１の光学レンズを調整した後、上記固定通路を通って接着剤を注入することにより、上記第１の光学レンズを固定することができる。
【００３９】
本発明の他の一側面では、撮像モジュールを提供し、上記撮像モジュールは、
感光性チップを含む感光性デバイスと、
上記感光性チップの感光経路に位置する調整可能な光学レンズアセンブリであって、上記調整可能な光学レンズアセンブリは、それぞれ第１の光学レンズ、第２の光学レンズ、第３の光学レンズ及び第４の光学レンズである４つの光学レンズを備える、調整可能な光学レンズアセンブリと、
焦点調整機構と、
支持構造物と、を含み、
各上記光学レンズは、上記支持構造物の高さ方向に沿って上記支持構造物の内部空間に装着され、上記第１の光学レンズは、上記調整可能な光学レンズアセンブリの上部に位置し、上記第１の光学レンズは、調整可能なレンズとして上記支持構造物に予め組み立てられ、上記支持構造物における上記調整可能なレンズの位置は調整可能であり、上記支持構造物は、上記焦点調整機構のホルダーとして上記焦点調整機構の内部にさらに接続され、上記焦点調整機構の通電に応じて動作し、焦点調整を行うことができ、
ここで、上記支持構造物は、調整通路を備え、上記調整通路は、上記支持構造物の内部空間と外部環境に接続し、上記第１の光学レンズの位置と対応されて、第１の光学レンズの組立位置を調整するようにする。
【００４０】
本発明の他の一側面では、焦点調整機構が組み込まれている分離式レンズモジュールを提供し、上記分離式レンズモジュールは、
焦点調整機構と、
４つの光学レンズ、鏡筒部材及び支持構造物を含むレンズアセンブリであって、上記鏡筒部材は、１つの上記光学レンズを装着して調整待ちレンズアセンブリを形成し、上記支持構造物は、３つの上記光学レンズを装着して固定レンズアセンブリを形成し、上記調整待ちレンズアセンブリは、接着剤によって上記固定レンズアセンブリに予め組み立てられ、上記調整待ちレンズアセンブリは、上記固定レンズアセンブリに対して調整可能なように組み立てられ、上記支持構造物は、上記焦点調整機構のホルダーとして上記焦点調整機構の内部に接続されて、上記焦点調整機構の通電によって移動し、焦点調整を行うことができる、レンズアセンブリとを含む。
【００４１】
本発明の他の一側面では、撮像モジュールを提供し、上記撮像モジュールは、
感光性チップを含む感光性デバイスと、
分離式レンズモジュールと、を含み、
上記分離式レンズモジュールは、
焦点調整機構と、
４つの光学レンズ、鏡筒部材及び支持構造物を含むレンズアセンブリであって、上記鏡筒部材は、１つの上記光学レンズを装着して調整待ちレンズアセンブリを形成し、上記支持構造物は、３つの上記光学レンズを装着して固定レンズアセンブリを形成し、上記調整待ちレンズアセンブリは、接着剤によって上記固定レンズアセンブリに予め組み立てられ、上記調整待ちレンズアセンブリは、上記固定レンズアセンブリに対して調整可能なように組み立てられ、上記支持構造物は、上記焦点調整機構のホルダーとして上記焦点調整機構の内部に接続されて、上記焦点調整機構の通電によって移動し、焦点調整を行うことができる、レンズアセンブリとを含む。
【００４２】
本発明では、レンズモジュールを提供し、上記レンズモジュールは、
少なくとも一つの光学レンズと、
焦点調整機構と、
支持構造物と、を含み、
各上記光学レンズは、上記支持構造物の高さ方向に沿って、上記支持構造物に備えられている収納室に装着され、上記支持構造物は、上記焦点調整機構のホルダーとして上記焦点調整機構の内部に接続され、ここで、上記支持構造物は、上記焦点調整機構の通電によって移動し、上記光学レンズのそれぞれが動くように駆動することにより、焦点調整を行うことができる。
【００４３】
本発明の一実施例によれば、上記支持構造物の内壁は、上記収納室の方向に延長され、少なくとも一つの固定部を形成し、上記固定部は、各上記光学レンズを装着することができる。
【００４４】
本発明の一実施例によれば、上記焦点調整機構は、ボイスコイルモータ、圧電セラミックモータ及び液晶モータから選択されることができる。
【００４５】
本発明の一実施例によれば、上記支持構造物の上部表面は、上記焦点調整機構の上部表面よりも低い。
【００４６】
本発明の一実施例によれば、上記支持構造物の上部表面は、上記焦点調整機構の上部表面よりも高い。
【００４７】
本発明の他の一側面によれば、本発明では、撮像モジュールを提供し、上記撮像モジュールは、
感光性チップを含む感光性デバイスと、
上記感光性チップの感光経路に装着されているレンズモジュールであって、上記レンズモジュールは、少なくとも一つの光学レンズ、焦点調整機構と支持構造物を含み、各上記光学レンズは、上記支持構造物の高さ方向に沿って、上記支持構造物に備えられている収納室に装着され、上記支持構造物は、上記焦点調整機構のホルダーとして上記焦点調整機構の内部に接続され、ここで、上記支持構造物は、上記焦点調整機構の通電によって移動し、上記光学レンズのそれぞれが動くように駆動することにより、焦点調整を進行することができる、レンズモジュールとを含む。
【００４８】
本発明の一実施例によれば、上記支持構造物の内壁は、上記収納室の方向に延長されて少なくとも一つの固定部を形成し、上記固定部は、各上記光学レンズを装着することができる。
【００４９】
本発明の一実施例によれば、上記焦点調整機構は、ボイスコイルモータ、圧電セラミックモータ及び液晶モータから選択されることができる。
【００５０】
本発明の一実施例によれば、上記感光性デバイスは、フィルタ、レンズベースと回路基板をさらに含み、上記フィルタは、上記レンズベースの内壁に接続されて上記感光性チップの上方に位置し、上記感光性チップは、上記回路基板の上方に装着され、上記回路基板は、上記レンズベースの底部に装着されることにより、上記感光性チップが上記レンズベースの内部に位置して、上記レンズベースの内壁と一定の間隔を維持するようにする。
【００５１】
本発明の一実施例によれば、上記感光性デバイスは、フィルタ、レンズベースと回路基板をさらに含み、上記フィルタと上記感光性チップは、上記レンズベースの内部に装着されて上記レンズベースの内壁に接続され、上記フィルタは、上記感光性チップの上部に配置され、上記回路基板は、上記レンズベースの底部に装着されている。
【００５２】
ここで、上記焦点調整機構と上記支持構造物は、上記レンズベースの上部に組み立てられている。
【００５３】
本発明の他の一側面によれば、本発明は、レンズモジュールの組立方法を提供し、上記方法は、
焦点調整機構と支持構造物をジグ上に逆さまに配置するステップ（Ａ）と、
上記焦点調整機構と上記支持構造物が上記ジグに固定されるように、上記ジグを調整するステップ（Ｂ）と、
少なくとも一つの光学レンズを順次に上記支持構造物内に配置し固定するステップ（Ｃ）と、
レンズモジュールの組み立てを完了するステップ（Ｄ）と、を含む。
【００５４】
本発明の一実施例によれば、上記ステップ（Ａ）において、上記ジグは、上記支持構造物の形状と大きさにマッチングされて上記支持構造物を装着することができる第１の支持部と、上記焦点調整機構の形状と大きさにマッチングされて上記焦点調整機構を装着することができる第２の支持部と、を備える。
【００５５】
本発明の一実施例によれば、上記ステップ（Ｂ）において、上記ジグは、少なくとも２つの空気通路を備え、上記少なくとも２つの空気通路は、上記ジグの上部と底部に連通し、上記空気通路は、上記第１の支持部と上記第２の支持部にそれぞれ配置され、ノズルまたは真空機器を用いて上記空気通路を介して上記支持構造物と上記焦点調整機構を固定することができる。
【００５６】
本発明の一実施例によれば、上記ステップ（Ｃ）において、各上記光学レンズは、一つずつ順番に上記支持構造物に組み立てられ、または、各上記光学レンズにおける光学レンズの一部を一体に互いに組み合わせた後、他の組み合わせていない光学レンズと一緒に上記支持構造物に順番に組み立てられる。
【００５７】
本発明の一実施例によれば、上記ステップ（Ｃ）において、熱硬化性接着剤を用いて各上記光学レンズを固定する。
【００５８】
本発明の一実施例によれば、上記ステップ（Ａ）において、上記支持構造物は、上記焦点調整機構の内部に装着され、上記焦点調整機構のホルダーとして、上記焦点調整機構の通電によって移動する。
【００５９】
本発明の一実施例によれば、上記ステップ（Ａ）において、上記焦点調整機構が上記支持構造物と一体に予め組み合わせられ、または、上記支持構造物が上記焦点調整機構の内部に予め組み立てられることにより、上記ステップ（Ｄ）において、上記焦点調整機構と上記支持構造物を組み合わせるようにする。
【００６０】
本発明の一実施例によれば、上記方法において、上記支持構造物の内壁は、その収納室の方向に延長されて、上記光学レンズの数と同じ固定部を形成し、各上記光学レンズを固定するようにする。
【００６１】
本発明の一実施例によれば、上記方法において、上記支持構造物の上部表面は、上記焦点調整機構の上部表面よりも高く、上記ジグの第１の支持部の上部の表面は、上記第２の支持部の上部の表面よりも高く、第１の支持部と第２の支持部との間に、上記支持構造物における上記焦点調整機構よりも高い部分を収容することができる溝が形成され、上記溝の深さは、上記焦点調整機構と上記支持構造物との間の高さの差と同じである。
【００６２】
本発明の一実施例によれば、上記方法において、上記支持構造物の上部表面は、上記焦点調整機構の上部表面よりも低く、上記ジグの第１の支持部の上部の表面は、上記第２の支持部の上部の表面よりも低く、第１の支持部と第２の支持部との間には、上記焦点調整デバイスと上記支持構造物との間の高さの差と同じ高さの突起部が形成されている。
【００６３】
本発明では、調整可能な光学レンズアセンブリを提供し、上記調整可能な光学レンズアセンブリは、
少なくとも一つの光学レンズと、
焦点調整機構と、
支持構造物と、を含み、
各上記光学レンズは、上記支持構造物の高さ方向に沿って、上記支持構造物の内部空間に装着され、上記少なくとも一つの光学レンズは、調整可能なレンズとして、上記支持構造物における上記調整可能なレンズの位置は調整可能であり、上記支持構造物は、上記焦点調整機構のホルダーとして上記焦点調整機構の内部にさらに接続されて、上記焦点調整機構の通電によって移動し、焦点調整を行うことができる。
【００６４】
本発明の一実施例によれば、上記支持構造物は、少なくとも一つの調整通路を備え、上記調整通路は、上記支持構造物の内部空間と外部環境に接続し、且つ、上記調整可能なレンズの組立位置を調整するように、上記調整可能なレンズと対応される。
【００６５】
本発明の一実施例によれば、上記調整可能なレンズアセンブリの上部に配置された上記光学レンズを上記調整可能なレンズとして、上記支持構造物の上部に少なくとも一つの固定通路が備え、上記固定通路は、上記調整可能なレンズと対応されて、上記調整可能なレンズの調整を行った後、上記固定通路に接着剤を注入することにより、上記調整可能なレンズを固定することができる。
【００６６】
本発明の一実施例によれば、上記支持構造物の内壁は、キャビティの方向に延長されて少なくとも一つの固定部を形成し、上記固定部は、各上記光学レンズを装着することができる。
【００６７】
本発明の一実施例によれば、上記支持構造物の上部表面は、上記焦点調整機構の上部表面よりも高く、上記調整通路は上記支持構造物において、上記焦点調整機構よりも高い部分に配置される。
【００６８】
本発明の一実施例によれば、上記調整可能なレンズは、上記支持構造物に予め組み立てられ、上記調整可能なレンズの組立位置は、少なくとも一つの方向へ調整可能である。
【００６９】
本発明の一実施例によれば、上記調整可能なレンズは、接着剤によって上記支持構造物に予め組み立てられ、予め組み立て用の接着剤は、熱硬化接着剤とＵＶ接着剤との混合剤であり、紫外線照射を介して上記接着剤が半硬化されて予め組み立てを実現し、上記接着剤がベーキング処理を経て完全に硬化されることにより、上記調整可能な光学レンズアセンブリ全体を固定する。
【００７０】
本発明の一実施例によれば、上記焦点調整機構は、ボイスコイルモータ、圧電セラミックモータ及び液晶モータから選択されることができる。
【００７１】
本発明の他の一側面によれば、本発明では、撮像モジュールを提供し、上記撮像モジュールは、
感光性チップを含む感光性デバイスと、
調整可能な光学レンズアセンブリであって、上記調整可能な光学レンズアセンブリは、上記感光性チップの感光経路に配置され、上記調整可能な光学レンズアセンブリは、少なくとも一つの光学レンズ、焦点調整機構と支持構造物を含み、各上記光学レンズは、上記支持構造物の高さ方向に沿って、上記支持構造物の内部空間に装着され、上記少なくとも一つの光学レンズは、調整可能なレンズとして、上記支持構造物における上記調整可能なレンズの位置は調整可能であり、上記支持構造物は、上記焦点調整機構のホルダーとして上記焦点調整機構の内部にさらに接続され、上記焦点調整機構の通電によって移動し、焦点調整を行うことができる、調整可能な光学レンズアセンブリとを含む。
【００７２】
本発明の一実施例によれば、上記支持構造物は、少なくとも一つの調整通路を備え、上記調整通路は、上記支持構造物の内部空間と外部環境に接続し、上記調整可能なレンズと対応されて、上記調整可能なレンズの組立位置を調整するようにする。
【００７３】
本発明の一実施例によれば、上記支持構造物の上部に少なくとも一つの固定通路が備え、上記固定通路は、上記調整可能なレンズと対応されて、上記調整可能なレンズの調整を行った後、上記固定通路に接着剤を注入することにより、上記調整可能なレンズを固定することができる。
【００７４】
本発明の一実施例によれば、上記支持構造物の内壁は、キャビティの方向に延長されて少なくとも一つの固定部を形成し、上記固定部は、各上記光学レンズを装着することができる。
【００７５】
本発明の一実施例によれば、上記支持構造物の上部表面は、上記焦点調整機構の上部表面よりも高く、上記調整通路は、上記支持構造物における上記焦点調整機構よりも高い部分に配置される。
【００７６】
本発明の一実施例によれば、上記調整可能なレンズは、上記支持構造物に予め組み立てられ、上記調整可能なレンズの組立位置は、少なくとも一つの方向へ調整可能である。
【００７７】
本発明の一実施例によれば、上記調整可能なレンズは、接着剤によって上記支持構造物に予め組み立てられ、予め組み立て用の接着剤は、熱硬化接着剤とＵＶ接着剤との混合剤であり、紫外線照射を介して上記接着剤が半硬化されて予め組み立てを実現し、上記接着剤がベーキング処理を経て完全に硬化されることにより、上記調整可能な光学レンズアセンブリ全体を固定する。
【００７８】
本発明の一実施例によれば、上記感光性デバイスは、フィルタ、レンズベースと回路基板をさらに含み、上記フィルタは、上記レンズベースの内壁に接続されて上記感光性チップの上方に位置し、上記感光性チップは、上記回路基板の上方に装着され、上記回路基板は、上記レンズベースの底部に装着されることにより、上記感光性チップが上記レンズベースの内部に位置して、上記レンズベースの内壁と一定の間隔を維持するようにする。
【００７９】
本発明の一実施例によれば、上記感光性デバイスは、フィルタ、レンズベースと回路基板をさらに含み、上記フィルタと上記感光性チップは、上記レンズベースの内部に装着されて上記レンズベースの内壁に接続され、上記フィルタは、上記感光性チップの上部に配置され、上記回路基板は、上記レンズベースの底部に装着されている。
【００８０】
本発明の一実施例によれば、上記焦点調整機構と上記支持構造物は、上記レンズベースの上部に組み立てられる。
【００８１】
本発明の他の一側面によれば、本発明では、調整可能な光学レンズアセンブリの組立方法を提供し、上記方法は、
焦点調整機構と支持構造物をジグ上に逆さまに配置するステップ（Ａ）と、
上記焦点調整機構と上記支持構造物が上記ジグに固定されるように、上記ジグを調整するステップ（Ｂ）と、
少なくとも一つの光学レンズを順次に上記支持構造物の内部空間に配置するステップであって、上記少なくとも一つの光学レンズは、調整可能なレンズである、ステップ（Ｃ）と、
上記調整可能なレンズ以外の他の光学レンズを固定するステップ（Ｄ）と、
上記調整可能な光学レンズアセンブリの組み立てを完了するステップ（Ｅ）と、を含む。
【００８２】
本発明の一実施例によれば、上記ステップ（Ａ）において、上記ジグに備えられている第１の支持部及び第２の支持部によって上記支持構造物と上記焦点調整機構のそれぞれを装着し、上記第１の支持部と上記第２の支持部は、上記支持構造物及び上記焦点調整機構の形状と大きさにそれぞれマッチングされる。
【００８３】
本発明の一実施例によれば、上記ステップ（Ｂ）において、上記支持構造物と上記焦点調整機構は、上記ジグに備えられている少なくとも２つの空気通路によって固定され、各上記空気通路は、上記ジグの上部と底部に連通し、上記空気通路は、上記第１の支持部と上記第２の支持部にそれぞれ配置され、ノズルまたは真空機器を用いて上記空気通路を介して上記支持構造物と上記焦点調整機構を固定することができる。
【００８４】
本発明の一実施例によれば、上記ステップ（Ｃ）において、上記調整可能なレンズを除く他の光学レンズを一つずつ順次上記支持構造物の内部空間に組み立て、または上記調整可能なレンズを除く他の光学レンズの光学レンズの一部を一体に組み合わせた後、組み合わせていない光学レンズと一緒に上記支持構造物内に順番に組み立てる。
【００８５】
本発明の一実施例によれば、上記ステップ（Ｄ）において、上記調整可能なレンズを接着剤によって上記支持構造物に予め組み立てるが、固定せず、上記調整可能なレンズを除く他の光学レンズを上記支持構造物に直接に固定し、予め組み立て用の接着剤は、熱硬化接着剤とＵＶ接着剤との混合接着剤であり、紫外線照射を介して上記接着剤が半硬化されて予め組み立てを実現する。
【００８６】
本発明の一実施例によれば、上記方法において、上記支持構造物に少なくとも一つの調整通路が備えられ、上記調整通路は、上記支持構造物の内部空間と外部環境に連通し、上記調整可能なレンズと対応されて、上記調整可能なレンズの組立位置を調整するようにする。
【００８７】
本発明の一実施例によれば、上記支持構造物の上部表面は、上記焦点調整機構の上部表面よりも高く、上記調整通路は、上記支持構造物における上記焦点調整機構よりも高い部分に配置される。
【００８８】
本発明の一実施例によれば、上記ステップ（Ａ）において、上記支持構造物は、上記焦点調整機構のホルダーとして上記焦点調整機構の内部に装着され、上記焦点調整機構の通電によって移動する。
【００８９】
本発明の一実施例によれば、上記焦点調整機構が上記支持構造物と一体に予め組み合わせられ、または、上記支持構造物が上記焦点調整機構の内部に予め組み立てられることにより、上記ステップ（Ｅ）において、上記焦点調整機構と上記支持構造物を組み合わせるようにする。
【００９０】
本発明の一実施例によれば、上記方法において、上記支持構造物の上部表面は、上記焦点調整機構の上部表面よりも高く、上記ジグには、上記支持構造物における上記焦点調整機構よりも高い部分を収容することができる溝が備えられ、上記溝の深さは、上記焦点調整機構と上記支持構造物との間の高さの差と同じである。
【００９１】
本発明の他の一側面によれば、本発明では、撮像モジュールの組立方法を提供し、上記方法は、
焦点調整機構と支持構造物をジグ上に逆さまに配置するステップ（ａ）と、
上記焦点調整機構と上記支持構造物が上記ジグに固定されるように、上記ジグを調整するステップ（ｂ）と、
少なくとも一つの光学レンズを順次上記支持構造物の内部空間に配置するステップであって、上記少なくとも一つの光学レンズは、調整可能なレンズである、ステップ（ｃ）と、
上記調整可能なレンズを除く他の各光学レンズを固定して、上記調整可能な光学レンズアセンブリの組み立てを完了するステップ（ｄ）と、
上記調整可能な光学レンズアセンブリが、上記感光性デバイスに含まれている感光性チップの感光経路に配置されるように、組立された上記調整可能な光学レンズアセンブリを感光性デバイスに接続するステップ（ｅ）と、
予め組み立てられた撮像モジュールに通電して、撮像モジュールからの画像を収集し、上記調整可能なレンズの調整方法と調整量を算出するステップ（ｆ）と、
上記撮像モジュールの画像が解像度の要求を満足するように、調整量に応じて上記調整可能なレンズを調整するステップ（ｇ）と
上記調整可能なレンズを固定して上記撮像モジュールの組み立てを完了するステップ（ｈ）と、を含む。
【００９２】
本発明の一実施例によれば、上記ステップ（ａ）において、上記ジグに備えられている第１の支持部及び第２の支持部によって上記支持構造物と上記焦点調整機構のそれぞれを装着し、上記第１の支持部と上記第２の支持部は、上記支持構造物及び上記焦点調整機構の形状と大きさ大きさにそれぞれマッチングされる。
【００９３】
本発明の一実施例によれば、上記ステップ（ｂ）において、上記支持構造物と上記焦点調整機構は、上記ジグに備えられている少なくとも２つの空気通路によって固定され、各上記空気通路は、上記ジグの上部と底部に連通し、上記空気通路は、上記第１の支持部と上記第２の支持部にそれぞれ配置され、ノズルまたは真空機器を用いて上記空気通路を介して上記支持構造物と上記焦点調整機構を固定する。
【００９４】
本発明の一実施例によれば、上記ステップ（ｃ）において、上記調整可能なレンズを除く他の光学レンズを一つずつ順次上記支持構造物の内部空間に組み立て、または上記調整可能なレンズを除く他の光学レンズの光学レンズの一部を一体に組み合わせた後、組み合わせていない光学レンズと一緒に上記支持構造物内に順番に組み立てる。
【００９５】
本発明の一実施例によれば、上記ステップ（ｄ）において、上記調整可能なレンズを接着剤によって上記支持構造物に予め組み立てるが、固定せず、上記調整可能なレンズを除く他の光学レンズを上記支持構造物に直接に固定し、予め組み立て用の接着剤は、熱硬化接着剤とＵＶ接着剤との混合接着剤であり、紫外線照射を介して上記接着剤が半硬化されて予め組み立てを実現する。
【００９６】
本発明の一実施例によれば、上記ステップ（ｇ）において、上記支持構造物に備えられている少なくとも一つの調整通路により上記調整可能なレンズを調整し、上記調整通路は、上記支持構造物の内部空間と外部環境に連通し、上記調整可能なレンズと対応されて、上記支持構造物の外部から上記調整可能なレンズの組立位置を調整可能である。
【００９７】
本発明の一実施例によれば、上記ステップ（ａ）において、上記支持構造物は、上記焦点調整機構のホルダーとして上記焦点調整機構の内部に装着されて、上記焦点調整機構の通電によって移動する。
【００９８】
本発明の一実施例によれば、上記ステップ（ａ）において、上記焦点調整機構が上記支持構造物と一体に予め組み合わせられ、または、上記支持構造物が上記焦点調整機構の内部に予め組み立てられることにより、上記ステップ（ｄ）において、上記焦点調整機構と上記支持構造物を組み合わせるようにする。
【００９９】
本発明の一実施例によれば、上記方法において、上記支持構造物の上部表面は、上記焦点調整機構の上部表面よりも高く、上記ジグには、上記支持構造物における上記焦点調整機構よりも高い部分を収容することができる溝が備えられ、上記溝の深さは、上記焦点調整機構と上記支持構造物との間の高さの差と同じである。
【０１００】
本発明の一実施例によれば、上記ステップ（ｈ）において、上記支持構造物の上部に少なくとも一つの固定通路が具備され、上記固定通路は、上記調整可能なレンズと対応されて、上記調整可能なレンズの調整を行った後、上記固定通路に接着剤を注入することにより、上記調整可能なレンズを固定することができる。
【０１０１】
本発明の一実施例によれば、上記ステップ（ｈ）において、上記調整通路に接着剤を注入して、上記調整可能なレンズを接着剤の硬化により固定し、上記調整通路を密封する。
【０１０２】
本発明は、取り外し式レンズモジュールを提供し、上記分離式レンズモジュールは、
焦点調整機構と、
少なくとも２つの光学レンズ、少なくとも一つの鏡筒部材及び支持構造物を含むレンズアセンブリであって、各上記鏡筒部材は、少なくとも一つの上記光学レンズをそれぞれ支持して少なくとも一つの調整待ちレンズアセンブリを形成し、上記支持構造物は、少なくとも一つの上記光学レンズを支持して固定レンズアセンブリを形成し、上記調整待ちレンズアセンブリは、上記固定レンズアセンブリに予め組み立てられ、上記調整待ちレンズアセンブリは、上記固定レンズアセンブリに対する組立位置を調整可能であり、上記固定レンズアセンブリは、上記支持構造物により上記焦点調整機構の内部に装着され、上記焦点調整機構の通電によって移動し、焦点調整を行うことができる、レンズアセンブリとを含む。
【０１０３】
本発明の一実施例によれば、上記鏡筒部材は、接着剤によって上記支持構造物の上部に組み立てられることにより、上記調整待ちレンズアセンブリと上記固定レンズアセンブリが予め組み立てられる。
【０１０４】
本発明の一実施例によれば、予め組み立て用の上記接着剤は、ＵＶ接着剤と熱硬化接着剤との混合剤であり、紫外線照射を介して上記接着剤が半硬化されて予め組み立てを実現し、上記接着剤がベーキング処理を経て完全に硬化されることにより、上記分離式レンズモジュールを全体的に固定する。
【０１０５】
本発明の一実施例によれば、上記調整待ちレンズアセンブリの組立位置は、少なくとも一つの方向へ調整可能である。
【０１０６】
本発明の一実施例によれば、上記焦点調整機構は、ボイスコイルモータ、圧電セラミックモータ及び液晶モータから選択されることができる。
【０１０７】
本発明の一実施例によれば、上記支持構造物は、上記焦点調整機構の内部に装着され、上記焦点調整機構に沿って移動する。
【０１０８】
本発明の一実施例によれば、上記支持構造物の上部表面は、上記焦点調整機構の上部表面よりも高い。
【０１０９】
本発明の一実施例によれば、一つの光学レンズは、上記鏡筒部材の内部空間に固定され、３つの光学レンズは、上記支持構造物の高さ方向に沿って上記支持構造物の内部空間に固定される。
【０１１０】
本発明の他の一側面によれば、本発明では、撮像モジュールを提供し、上記撮像モジュールは、
感光性チップを含む感光性デバイスと、
分離式レンズモジュールと、を含み、
上記分離式レンズモジュールは、上記感光性チップの感光経路に配置され、
上記分離式レンズモジュールは、焦点調整機構とレンズアセンブリセットとを含み、
上記レンズアセンブリセットは、少なくとも２つの光学レンズ、少なくとも一つの鏡筒部材及び支持構造物を含み、
各上記鏡筒部材は、それぞれ少なくとも一つの上記光学レンズを支持して少なくとも一つの調整待ちレンズアセンブリを形成し、
上記支持構造物は、少なくとも一つの上記光学レンズを支持して固定レンズアセンブリを形成し、
上記調整待ちレンズアセンブリは、上記固定レンズアセンブリに予め組み立てられ、上記感光性チップに対する上記調整待ちレンズアセンブリの組立位置は調整可能であり、上記固定レンズアセンブリは、上記支持構造物により上記焦点調整機構の内部に装着され、上記焦点調整機構の通電によって移動することにより、焦点調整を行うことができる。
【０１１１】
本発明の一実施例によれば、上記調整待ちレンズアセンブリの組立位置は、調整後に分離式レンズモジュールの中心軸線と上記感光性チップの中心軸線とが重畳され、または偏差の許容範囲内に位置するように、少なくとも一つの方向へ調整可能である。
【０１１２】
本発明の一実施例によれば、上記感光性デバイスは、フィルタ、レンズベースと回路基板をさらに含み、上記フィルタは、上記レンズベースの内壁に接続され上記感光性チップの上方に位置し、上記感光性チップは、上記回路基板の上方に装着され、上記回路基板は、上記レンズベースの底部に装着されて、上記感光性チップが上記レンズベースの内部に位置し、上記レンズベースの内壁と一定の間隔を維持するようにする。
【０１１３】
本発明の一実施例によれば上記感光性デバイスは、フィルタ、レンズベースと回路基板をさらに含み、上記フィルタと上記感光性チップは、上記レンズベースの内部に装着されて上記レンズベースの内壁に接続され、上記フィルタは、上記感光性チップの上部に配置され、上記回路基板は、上記レンズベースの底部に装着されている。
【０１１４】
本発明の他の一側面によれば、本発明は、取り外し式レンズモジュールの組立方法を提供し、この方法は、
少なくとも一つの光学レンズを鏡筒部材の内部空間に組み立てて調整待ちレンズアセンブリを形成するステップ（Ａ）と
少なくとも一つの光学レンズを支持構造物の内部空間に組み立てて固定レンズアセンブリを形成するステップであって、上記支持構造物は、焦点調整機構の内部に配置され、上記焦点調整機構の通電によって移動する、ステップ（Ｂ）と、
上記調整待ちレンズアセンブリと上記固定レンズアセンブリを予め組み立てて、上記調整待ちレンズアセンブリが調整可能な分離式レンズモジュールを形成するステップ（Ｃ）と、を含む。
【０１１５】
本発明の一実施例によれば、上記ステップ（Ａ）において、上記ジグに備えられている溝に上記鏡筒部材を逆さまに配置してから、各上記光学レンズを上記鏡筒部材の高さ方向に沿って、上記鏡筒部材の内部空間に装着して固定する。
【０１１６】
本発明の一実施例によれば、上記ステップ（Ｂ）において、上記支持構造物と上記焦点調整機構のそれぞれを、ジグに備えられている第１の支持部及び第２の支持部に逆さまに装着してから、各上記光学レンズを上記支持構造物の高さ方向に沿って、上記支持構造物の内部空間に装着して固定する。
【０１１７】
本発明の一実施例によれば、上記ステップ（Ｃ）において、上記調整待ちレンズアセンブリと上記固定レンズアセンブリを予め組み立てる前に、上記鏡筒部材の底部または上記支持構造物の上部に接着剤を塗布することにより、上記支持構造物と上記鏡筒部材は、接着剤によって予め組み立てられ、
上記調整待ちレンズアセンブリの組立位置は、少なくとも一つの方向へ調整可能である。
【０１１８】
本発明の一実施例によれば、上記方法において、上記鏡筒部材と上記支持構造物は、上記ジグに備えられている上記第１の支持部によって支持され、上記焦点調整機構は、上記第２の支持部によって支持され、
上記第１の支持部と上記第２の支持部により形成される上記溝は、上記支持構造物における上記焦点調整機構よりも高い部分と上記鏡筒部材とを収容することができ、
上記溝の深さは、上記鏡筒部材の高さと、上記支持構造物における上記焦点調整機構よりも高い部分の高さとの和と同じである。
【０１１９】
本発明の一実施例によれば、上記ステップ（Ｂ）において、上記支持構造物と上記焦点調整機構のそれぞれを、上記鏡筒部材の底部及び上記ジグに備えられている第２の支持部に逆さまに装着してから、各上記光学レンズを上記支持構造物の高さ方向に沿って上記支持構造物の内部空間に装着して固定する。
【０１２０】
本発明の一実施例によれば、上記ステップ（Ｃ）において、上記ジグから上記固定レンズアセンブリを取り外して、組立完成された上記調整待ちレンズアセンブリを上記固定レンズアセンブリの上部に予め組み立て、
上記調整待ちレンズアセンブリの組立位置は、上記固定レンズアセンブリの空間位置に対して少なくとも１つの方向へ調整可能である。
【０１２１】
本発明の一実施例によれば、上記ステップ（Ｃ）において、上記固定レンズアセンブリの上部又は上記調整待ちレンズアセンブリの底部に接着剤を塗布することにより、上記調整待ちレンズアセンブリと上記固定レンズアセンブリとが接着剤によって予め組み立てられる。
【０１２２】
本発明の一実施例によれば、上記方法において上記第１の支持部と上記第２の支持部の形状およびサイズは、それぞれ上記支持構造物と上記鏡筒部材の形状および大きさとマッチングされ、
上記第１の支持部と上記第２の支持部により形成される上記溝は、上記支持構造物における上記焦点調整機構よりも高い部分を収容することができ、
上記溝の深さは、上記支持構造物と上記焦点調整機構間の高さの差と同じである。
【０１２３】
本発明の一実施例によれば、上記方法において、上記支持構造物と上記焦点調整機構は、上記ジグに備えられている少なくとも２つの空気通路によって固定され、各上記空気通路は、上記ジグの上部と底部に連通され、上記空気通路は、上記第１の支持部と上記第２の支持部にそれぞれ配置されることにより、ノズルまたは真空機器を用いて上記空気通路を介して上記支持構造物と上記焦点調整機構を固定することができる。
【０１２４】
本発明の一実施例によれば、上記方法において、上記方法において、調整待ちレンズアセンブリの組立位置のＸ、Ｙ、Ｚ、Ｕ、Ｖ、Ｗの６つの軸方向へ調整可能である。
【０１２５】
本発明の一実施例によれば、上記ステップ（Ｂ）において、上記支持構造物は、上記焦点調整機構の内部に装着されて、上記焦点調整機構のホルダーとして、上記焦点調整機構の通電によって上記焦点調整機構に沿って移動する。
【０１２６】
本発明の一実施例によれば、上記ステップ（Ｂ）において、
上記焦点調整機構が上記支持構造物と一体に予め連結され、または、上記支持構造物が上記焦点調整機構の内部に予め組み立てられることにより、ステップ（Ｃ）において上記焦点調整機構と上記支持構造物を接続するようにする。
【図面の簡単な説明】
【０１２７】
【図１】図１は、本発明の第１の好ましい実施形態に係る焦点調整機構が組み込みられているレンズアセンブリの例示的な断面図である。
【図２】図２は、本発明の上記好ましい実施形態に係る焦点調整機構が組み込みられているレンズアセンブリの第１組立方法の例示図である。
【図３】図３は、本発明の上記好ましい実施形態に係る焦点調整機構が組み込みられているレンズアセンブリの第１組立方法の変形実施例である。
【図４】図４は、本発明の上記好ましい実施形態に係る焦点調整機構が組み込みられているレンズアセンブリの第２組立方法の例示図である。
【図５】図５は、本発明の上記好ましい実施形態に係る焦点調整機構が組み込みられているレンズアセンブリの第２組立方法の例示図である。
【図６】図６は、本発明の上記好ましい実施形態に係る焦点調整機構が組み込みられているレンズアセンブリの組立工程に使用されるジグの例示的構造図である。
【図７】図７は、本発明の上記好ましい実施形態に係る焦点調整機構が組み込みられているレンズアセンブリの組立工程に使用されるジグの変形実施例である。
【図８】図８は、本発明の上記好ましい実施形態に係る焦点調整機構が組み込みられているアセンブリにより構成された撮像モジュールの例示的な断面図である。
【図９】図９は、本発明の上記好ましい実施形態に係る焦点調整機構が組み込みられているアセンブリにより構成された撮像モジュールの変形実施例である。
【図１０】図１０は、本発明の上記好ましい実施形態に係る焦点調整機構が組み込みられているレンズアセンブリの組立方法のフローチャートである。
【図１１Ａ】図１１Ａは、本発明の第２の好ましい実施形態に係る焦点調整機構が組み込まれている調整可能な光学レンズアセンブリの立体構造の例示図である。
【図１１Ｂ】図１１Ｂは、本発明の第２の好ましい実施形態に係る焦点調整機構が組み込まれている調整可能な光学レンズアセンブリの例示的な断面図である。
【図１２】図１２は、本発明の第２の好ましい実施形態に係る焦点調整機構が組み込まれている調整可能な光学レンズアセンブリの組立方法の例示図である。
【図１３】図１３は、本発明の第２の好ましい実施形態に係る焦点調整機構が組み込まれている調整可能な光学レンズアセンブリの組立方法の例示図である。
【図１４】図１４は、本発明の第２の好ましい実施形態に係る焦点調整機構が組み込まれている調整可能な光学レンズアセンブリを含む撮像モジュールの例示的な断面図である。
【図１５】図１５は、本発明の第２の好ましい実施形態に係る撮像モジュールの変形実施例である。
【図１６】図１６は、本発明の第３の好ましい実施形態に係る焦点調整機構が組み込まれている調整可能な光学レンズアセンブリの例示的な断面図である。
【図１７】図１７は、本発明の上記第３の好ましい実施形態に係る焦点調整機構が組み込まれている調整可能な光学レンズアセンブリを含む撮像モジュールの例示的な断面図である。
【図１８】図１８は、本発明の上記好ましい実施形態に係る焦点調整機構が組み込まれている調整可能な光学レンズアセンブリの組立方法のフローチャートである。
【図１９】図１９は、本発明の上記好ましい実施形態に係る焦点調整機構が組み込まれている調整可能な光学レンズアセンブリを含む撮像モジュールの組立方法のフローチャートである。
【図２０】図２０は、本発明の第４の好ましい実施形態に係る分離式レンズモジュールの例示的な断面図である。
【図２１】図２１は、本発明の上記好ましい実施形態に係る分離式レンズモジュールの第１組立方法の例示図である。
【図２２】図２２は、本発明の上記好ましい実施形態に係る分離式レンズモジュールの第１組立方法の例示図である。
【図２３】図２３は、本発明の上記好ましい実施形態に係る分離式レンズモジュールの第２組立方法の例示図である。
【図２４】図２４は、本発明の上記好ましい実施形態に係る分離式レンズモジュールの第２組立方法の例示図である。
【図２５】図２５は、本発明の上記好ましい実施形態に係る分離式レンズモジュールを含む撮像モジュールの例示的な断面図である。
【図２６】図２６は、本発明の上記好ましい実施形態に係る分離式レンズモジュールを含む撮像モジュールの変形実施例である。
【図２７】図２７は、本発明の上記好ましい実施形態に係る分離式レンズモジュールの組立方法のフローチャートである。
【図２８】図２８は、本発明の上記好ましい実施形態に係る分離式レンズモジュール的別の組立方法のフローチャートである。
【発明を実施するための形態】
【０１２８】
以下の説明は、当業者が本発明を実現できるように、本発明を説明する。好ましい実施例は単に例示として、当業者は他の明らかな変形を容易に考えられる。以下の説明で規定された本発明の一般的な要旨は、他の実施形態、代替形態、変形形態、同等形態、および本発明の精神と範囲を逸脱しない他の形態に適用することができる。
【０１２９】
当業者は、本発明の開示において、「縦」、「横」、「上」、「下」、「前」、「後」、「左」、「右」、「垂直」、「水平」、「上部」、「底部」、「内部」、「外部」などの用語が指す方向や位置関係は、図示されている方向と位置関係を基礎としたものであり、これらが指すデバイスまたは素子が必ずしも特定の方向を持ち、または特定の方向へ構成および動作することを指すのではなく、単に本発明の説明及び説明の便宜のためなものであることを理解すべきである。したがって、上記用語を、本発明の限定と解釈されてはならない。
【０１３０】
従来の焦点調整可能な撮像モジュールにおいて、レンズモジュールは、一般的に、レンズアセンブリと焦点調整機構を含む。レンズアセンブリは、光学レンズと、レンズを支持する鏡筒とを含み、焦点調整機構は、焦点調整機構の他の部分に接続するホルダー（Ｈｏｌｄｅｒ）を含む。上記ホルダーは、移動部材のホルダーであって、内部にねじを備え、ねじまたはその他の方法でレンズアセンブリと組み合わせる。つまり、レンズアセンブリが上記ホルダーに固定されてホルダーと一緒に移動できるように、上記ホルダーと上記レンズアセンブリが組み合わせられることにより、焦点調整の目的を実現する。
【０１３１】
本発明は、鏡筒と焦点調整機構のホルダーの改善として、鏡筒と焦点調整機構のホルダーを一体に設計して、組立工程を減らし、製造コストを低減し、結像品質を向上させることができる。
【０１３２】
図１は、本発明の第１の好ましい実施形態に係る焦点調整機構が組み込まれているレンズモジュールを示す。図１に示すように、レンズアセンブリ１０１０は、少なくとも一つの光学レンズ１０１１、焦点調整機構１０１２と支持構造物１０１３を含む。各上記光学レンズ１０１１は、上記支持構造物１０１３の高さ方向に沿って、上記支持構造物１０１３に備えられている収納室１０１３１に装着され固定され、上記支持構造物１０１３は、上記焦点調整機構１０１２の内部に装着され、上記焦点調整機構１０１２のホルダーとして、その取り付け位置は、従来の焦点調整機構の取り付け位置と同一であり、上記焦点調整機構１０１２のその他の部材に接続する。ここで、上記支持構造物１０１３は、上記焦点調整機構１０１２の通電によって移動することができ、移動過程で、上記光学レンズ１０１１が移動するように直接駆動することにより、焦点調整を行うことができる。
【０１３３】
本好ましい実施形態に係る光学レンズ１０１１は、４つ備えられており、それぞれ第１の光学レンズ１０１１１、第２の光学レンズ１０１１２、第３の光学レンズ１０１１３及び第４の光学レンズ１０１１４である。
【０１３４】
なお、上記支持構造物１０１３は、従来のレンズモジュールにおける鏡筒とモータのホルダーとの機能を同時に備え、本発明では、上記支持構造物１０１３を鏡筒と焦点調整機構のホルダーとして使用することにより、上記支持構造物１０１３が、上記焦点調整機構１０１２の内部で移動することができるだけでなく、上記光学レンズ１０１１を支持し、且つ、外部の光線が入射孔以外の他の隙間を介して上記レンズモジュール１０１０に入射されることを防止するように、非透明材質で製造されることができる。
【０１３５】
上記支持構造物１０１３は、以下の３つの方法で実現することができる。（１）上記焦点調整機構１０１２の設計時、そのホルダーの機能を備えるとともに、鏡筒の機能を備え、鏡筒のサイズに適合され、レンズを支持できるように、そのホルダーを製造する。（２）鏡筒の設計時、鏡筒がレンズを支持するとともに、焦点調整機構のホルダーの機能を備えるように、焦点調整機構のホルダーとして焦点調整機構に装着するようにする。（３）製造時、鏡筒と焦点調整機構のホルダーとを一つの組み合せで製造する。上記製造方法は、一例であり、鏡筒を焦点調整機構のホルダーとして使用しても、または、焦点調整機構のホルダーを鏡筒として使用しても、上記支持構造物１０１３の製造方法は、上記支持構造物１０１３が鏡筒と焦点調整機構の機能を同時に持つことができれば、他の方法で実施されてもよいことは、当業者にとって自明である。
【０１３６】
上記焦点調整機構１０１２は、ボイスコイルモータ（ＶＣＭ）、圧電セラミックモータおよび液晶モータなどで実施することができる。
【０１３７】
さらに、上記支持構造物１０１３は、少なくとも一つの固定部１０１３２を備え、ここで、上記固定部１０１３２は、上記支持構造物１０１３の内壁が上記収納室１０１３１の方向に延長されて形成された突起部であり、各上記光学レンズ１０１１を装着するのに用いられる。上記固定部１０１３２の数は、上記光学レンズ１０１１の数と同じである。本好適な実施例では、４つの上記固定部１０１３２として実施され、上記レンズモジュール１０１０を逆さまに各光学レンズ１０１１を装着することにおいて、各上記光学レンズ１０１１は、相応した上記固定部１０１３２の表面に装着した後、上記各光学レンズ１０１１を固定する。上記固定部１０１３２を介して各上記光学レンズ１０１１が安定的に装着されることにより、光学レンズ１０１１が上記支持構造物１０１３に固定されることができる。
【０１３８】
図２、図６及び図１０を参照して、上記レンズモジュール１０１０の組立方法及び組立に使用されるジグ１０２０を説明する。上記ジグ１０２０は、第１の支持部１０２１と第２の支持部１０２２を含み、少なくとも２つの空気通路１０２３を備える。上記第２の支持部１０２２は、上記第１の支持部１０２１の外周に配置され、上記第２の支持部１０２２と上記第１の支持部１０２１とは、上記ジグ１０２０の上部に位置する。上記空気通路１０２３は、上記ジグ１０２０の上部と底部を連結することにより、吸入を行うようにする。ここで、少なくとも一つの上記空気通路１０２３は、上記第１の支持部１０２１に配置され、少なくとも一つの上記空気通路１０２３は、上記第２の支持部１０２２に配置されることにより、それぞれ上記支持構造物１０１３及び上記焦点調整機構１０１２を固定する。さらに強固に固定するために、複数の上記空気通路１０２３を均一に配置して、さまざまな角度から上記支持構造１０１３と上記焦点調整機構１０１２を固定することができる。例えば、４つの上記空気通路１０２３を上記第１の支持部１０２１に均一に配置し、４つの上記空気通路１０２３を上記第２の支持部１０２２に均一に配置することができる。
【０１３９】
上記第１の支持部１０２１は、本好ましい実施例では溝として実施されることができる。すなわち、上記第１の支持部１０２１の上部表面と上記第２の支持部１０２２の上部表面との間に一定の間隔を有するようにして、上記第１の支持部１０２１の上部表面が上記第２の支持部１０２２の上端表面よりも低くように設定することができる。上記第１の支持部１０２１の形状とサイズは、上記支持構造物１０１３の形状とサイズにマッチングされ、組立プロセスにおいて、上記支持構造物１０１３を支持することができる。上記第２の支持部１０２２は、上記焦点調整機構１０１２の形状とサイズにマッチングされ、組立プロセスにおいて、上記焦点調整機構１０１２を支持することができる。組立工程では、上記支持構造物１０１３と上記焦点調整機構１０１２をそれぞれ上記第１の支持部１０２１と上記第２の支持部１０２２に逆さまに装着する。上記光学レンズ１０１１を装着する時、上記第１の支持部１０２１に配置された上記空気通路１０２３によって上記支持構造物１０１３を固定し、上記第２の支持部１０２２に配置された上記空気通路１０２３によって上記焦点調整機構１０１２を固定することができる。
【０１４０】
さらに、上記ジグ１０２０の形態は、上記レンズモジュール１０１０の形態とマッチングされるべきである。本好ましい実施例において、上記支持構造物１０１３の上部表面は、上記焦点調整機構１０１２の上部表面よりも高いので、第１の支持部１０２１は、上記支持構造物１０１３における上記焦点調整機構１０１２よりも高い部分を収容するように、溝として実施され、上記溝の深さは、上記支持構造物１０１３と上記焦点調整機構１０１２との間の高さの差に相当する。
【０１４１】
なお、ノズルまたはその他の真空機器を介して上記空気通路１０２３によって上記支持構造物１０１３と上記焦点調整機構１０１２を固定することができる。
【０１４２】
図１０を参照すると、上記レンズモジュール１０１０の組立方法１０１０００は、次のようなステップを含む。
【０１４３】
ステップ１０１００１において、上記焦点調整機構１０１２と上記支持構造物１０１３を、上記ジグ１０２０上に逆さまに装着する。
【０１４４】
ステップ１０１００２において、上記ジグ１０２０を調整して、上記焦点調整機構１０１２と上記支持構造物１０１３を上記ジグ１０２０上に固定する。
【０１４５】
ステップ１０１００３において、上記光学レンズの１０１１を順次に上記支持構造物１０１３に装着して固定する。
【０１４６】
ステップ１０１００４において、上記レンズモジュール１０１０の組み立てを完了する。
【０１４７】
なお、上記ステップ１０１００１で、上記支持構造物１０１３は、設計プロセスで鏡筒と焦点調整機構のホルダーの２つの機能を備えるように設計されて、上記焦点調整機構１０１２と上記支持構造物１０１３は、次のような３つの方法のうちの一つの方法で組み立てることができる。（ａ）上記焦点調整機構１０１２は、上記支持構造物１０１３と予め接続されて、上記支持構造物１０１３が焦点調整機構１０１２のホルダーの機能を備えるようにして、両者が一体に上記ジグ１０２０上に逆さまに装着されて、鏡筒の機能をさらに備えることができる。（ｂ）上記焦点調整機構１０１２と上記支持構造物１０１３のそれぞれを、マッチングされる上記ジグ１０２０上に逆さまに装着した後、上記ステップ１０１００４において上記焦点調整機構１０１２と上記支持構造物１０１３をリップする。（ｃ）上記各光学レンズ１０１１を上記支持構造物１０１３の内部に固定して、上記支持構造物１０１３が鏡筒の機能を備えるようにして、上記各光学レンズ１０１１と一体に組み立てられ、上記支持構造物１０１３と上記焦点調整機構１０１２を組み立てることにより、上記焦点調整機構１０１２のホルダー機能をさらに備えることができる。
【０１４８】
上記ステップ１０１００２において、上記ジグ１０２０を調整することにより、上記ジグがノズルまたは真空機器にマッチングされるようにする。上記ジグ１０２０の底部は、上記ノズルまたは真空機器を上記空気通路１０２３に向かって加圧することにより、上記空気通路１０２３を介して吸引し、上記焦点調整機構１０１２と上記支持構造物１０１３を固定する。したがって、上記焦点調整機構１０１２と上記支持構造物１０１３をそれぞれ上記ジグ１０２０の上記第２の支持部１０２２と、上記第１の支持部１０２１とに固定し、それがその後の組立工程でスライド、揺れ、ズレなどの現象が発生することを防止し、組み立て偏差を減らすことにより、組み立て精度を確保することができる。
【０１４９】
上記ステップ１０１００３において、上記各光学レンズ１０１１を入れる。例えば、本好ましい実施例では、４つの光学レンズ１０１１を入れる。本好ましい実施例は、上記光学レンズ１０１１を一つずつ装着する方法を用いて、上記第１の光学レンズ１０１１１、第２の光学レンズ１０１１２、第３の光学レンズ１０１１３及び第４の光学レンズ１０１１４を順次に装着する。装着した後、熱硬化接着剤を用いて各上記光学レンズ１０１１を固定することができる。１つの光学レンズ２０１１を入れるたびに固定してもよく、すべての光学レンズを装着した後に固定してもよい。これは実際の状況に応じて選択することができる。該当分野の当業者達は、上記支持構造物１０１３の内壁の構造に応じて各上記光学レンズ１０１１の組立方法を選択することができ、溶接方式を利用して各上記光学レンズ１０１１を固定することもあることを理解することができる。
【０１５０】
また、図４及び図５を参照すると、本発明では、図４及び図５に図示する方法を用いて上記撮像モジュール１０を組み立てることができる。図４及び図５に示すように、組立前に、まず、上記光学レンズ１０１１の一部を一体に固定した後、他の組み合わせていない光学レンズ１０１１と順次に組み立てて、上記支持構造物１０１３に装着することにより、上記レンズモジュール１０１０の組み立てを完了することができる。これらの組立方法においては、まず第１の光学レンズ１０１１１、第２の光学レンズ１０１１２及び第３の光学レンズ１０１１３を組み合わせた後、上記支持構造物１０１３の上記収納室１０１３１に装着する。その後、上記第４の光学レンズ１０１１４を装着して各上記光学レンズ１０１１を固定することにより、上記レンズモジュール１０１０の組み立てを完了する。該当分野の当業者は、組立前に任意の光学レンズ１０１１を組み合わせた後、順次に組み立てることができることを理解できるだろう。例えば、組立前に上記第２の光学レンズ１０１１２及び第３の光学レンズ１０１１３を一体に組み合わせた後、組立時、上記第１の光学レンズ１０１１１、組み合わせられている上記第２の光学レンズ１０１１２、上記第３の光学レンズ１０１１３及び上記第４の光学レンズ１０１１４を順次に装着した後、熱硬化接着剤で固定してもよく、４つの光学レンズ１０１１を組み合わせた後、一体として上記支持構造物１０１３に装着してもよい。
【０１５１】
上記ステップ１０１００４において、ノズルまたはその他の真空機器を取り外し、上記ジグ１０２０から上記レンズモジュール１０１０を取り外すことにより、上記レンズモジュール１０１０の組み立てを完了する。上記レンズモジュール１０１０の分離は、上記空気通路１０２３の気体を噴射する方式で行うことができる。すなわち、上記レンズモジュール１０１０に反対方向への力を加えて、上記レンズモジュール１０１０を押して出すことができる。または、実際の状況に応じて、他の方法で上記レンズモジュール１０１０を取り外すことができる。
【０１５２】
図３及び図７を参照すると、上記好ましい実施形態の変形例、すなわち、レンズモジュールとジグ１０２０の変形を実施した変形例を示す。これらの変形例において、ジグ１０２０Ａは、レンズアセンブリ１０１０Ａの組み立てをアシストし、上記ジグ１０２０Ａは、上記レンズモジュール１０１０Ａとマッチングされる。
【０１５３】
上記レンズモジュール１０１０Ａは、複数の光学レンズ１０１１Ａ、焦点調整機構１０１２Ａと支持構造物１０１３Ａを含み、上記支持構造物１０１３Ａは、上記焦点調整機構１０１２Ａとして、光学レンズ１０１１Ａを収容するように収納室１０１３１Ａを備え、また、鏡筒と焦点調整機構のホルダーの役割も果たしている。ここで、上記支持構造物１０１３Ａは、上記焦点調整機構１０１２Ａの通電によって上記焦点調整機構１０１２Ａの内部で移動することにより、焦点調整を行うことができる。
【０１５４】
さらに、上記支持構造物１０１３Ａは、少なくとも一つの固定部１０１３２Ａを備え、上記固定部１０１３２Ａは、上記支持構造物１０１３Ａの内壁から上記収納室１０１３１Ａの方向に沿って延長されて、上記各光学レンズ１０１１Ａを装着するための突起部を形成する。本好適な実施例では、４つの上記固定部１０１３２Ａが備えられ、上記レンズモジュール１０１０Ａを逆さまにして各上記光学レンズ１０１１Ａを装着する場合に、上記各光学レンズ１０１１Ａを相応した上記固定部１０１３２Ａの表面に装着した後、上記各光学レンズ１０１１Ａに固定することができる。上記固定部１０１３２Ａを介して、各上記光学レンズ１０１１Ａが安定的に置かれることができ、従って、上記各光学レンズ１０１１Ａを上記支持構造物１０１３Ａに装着するのに便利するようになる。
【０１５５】
上記ジグ１０２０Ａは、第１の支持部１０２１Ａ及び第２の支持部１０２２Ａを含み、且つ、複数の空気通路１０２３Ａを備える。上記第２の支持部１０２２Ａは、上記第１の支持部１０２１Ａの外周に配置され、上記第２の支持部１０２２Ａと上記第１の支持部１０２１Ａは、すべて上記ジグ１０２０Ａの上部に位置する。上記空気通路１０２３Ａは、上記ジグ１０２０Ａの上部と底部を連結することにより、吸入を行うようにする。ここで、少なくとも一つの上記空気通路１０２３Ａは、上記第１の支持部１０２１Ａに配置され、少なくとも一つの上記空気通路１０２３Ａは、上記第２の支持部１０２２Ａに配置されることにより、それぞれ上記支持構造物１０１３Ａおよび上記焦点調整機構１０１２Ａを固定する。本好ましい実施例において、上記第１の支持部１０２１Ａに４つの上記空気通路１０２３Ａを均一に配置し、上記第２の支持部１０２２Ａに４つの上記空気通路１０２３Ａを均一に配置することができる。
【０１５６】
上記第１の支持部１０２１Ａは、本好ましい実施例では突起部として実施されることができる。すなわち、上記第１の支持部１０２１Ａの上部表面と上記第２の支持部１０２２Ａの上部表面との間に一定の間隔を有するようにして、上記第１の支持部１０２１Ａの上部表面が上記第２の支持部１０２２Ａの上部の表面よりも高く設定することができる。上記第１の支持部１０２１Ａの形と大きさは、上記支持構造物１０１３Ａの形と大きさとマッチングされ、組立プロセスでは、上記支持構造物１０１３Ａを支持することができる。上記第２の支持部１０２２Ａは、上記焦点調整機構１０１２Ａの形と大きさとマッチングされ、組立プロセスでは、上記焦点調整機構１０１２Ａを支持することができる。組立工程では、上記支持構造物１０１３Ａ及び上記焦点調整機構１０１２Ａをそれぞれ上記第１の支持部１０２１Ａ及び上記第２の支持部１０２２Ａに逆さまに装着し、上記光学レンズ１０１１Ａの装着時、第１の支持部１０２１Ａに配置された上記空気通路１０２３Ａによって上記支持構造物１０１３Ａを固定し、上記第２の支持部１０２２Ａに配置された上記空気通路１０２３Ａにより上記焦点調整機構１０１２Ａを固定する。
【０１５７】
さらに、上記ジグ１０２０Ａの形態は、上記レンズモジュール１０１０Ａの形態とマッチングされるべきである。本好ましい実施例において、上記支持構造物１０１３Ａの上部表面は、上記焦点調整機構１０１２Ａの上部表面よりも低いので、上記支持構造物１０１３Ａと上記焦点調整機構１０１２Ａの間に溝が形成される。したがって、上記支持構造物１０１３Ａにおける上記焦点調整機構１０１２Ａよりも低い部分とマッチングされるように、上記第１の支持部１０２１Ａは、突起部として実施され、上記突出部の高さは上記支持構造物１０１３Ａと、上記焦点調整機構１０１２Ａとの間の高さの差に相当する。
【０１５８】
なお、ノズルまたはその他の真空機器を介して上記空気通路１０２３Ａによって上記支持構造物１０１３Ａ及び上記焦点調整機構１０１２Ａを固定することにより、上記光学レンズ１０１１Ａを簡単に装着することができる。
【０１５９】
さらに、上記ジグ１０２０Ａの構造は、上記レンズモジュール１０１０Ａとマッチングされるべきである。上記焦点調整機構１０１２Ａの上部表面と上記支持構造物１０１３Ａの上端表面が平衡になる場合、すなわち、両者が同一平面に位置する場合に、上記ジグ１０２０Ａの第１の支持部１０２１Ａの上部表面と第２の支持部１０２２Ａの上部の表面も同一平面に位置することにより、それぞれ上記支持構造物１０１３Ａ及び上記焦点調整機構１０１２Ａを支持し固定することができる。
【０１６０】
図８は、上記好ましい実施形態のレンズアセンブリ１０１０の撮像モジュールを示す。図８を参照すると、撮像モジュールは、上記レンズモジュール１０１０と感光性デバイス１０３０を含み、上記感光性デバイス１０３０は、フィルタ１０３１、レンズベース１０３２、感光性チップ１０３３と回路基板１０３４を含み、上記感光性デバイス１０３０は、ＣＯＢ（ｃｈｉｐ  ｏｎ  ｂｏａｒｄ）工程によって製作される。ここで、上記フィルタ１０３１は、上記レンズベース１０３２の内部の上方に装着され、上記レンズベース１０３２に接続され、上記感光性チップ１０３３の上方に位置する。上記感光性チップ１０３３は、上記回路基板１０３４の上部に付着され、上記レンズベース１０３２の内壁と一定の距離を維持し、上記回路基板１０３４は、レンズベース１０３２の底部に装着されることにより、上記感光性チップ１０３３が上記レンズベース１０３２の内部の空間に装着されるようにする。上記レンズモジュール１０１０は、上記感光性デバイス１０３０の上部に装着され、上記感光性チップ１０３３の感光経路に位置する。物体によって反射された光線が上記レンズモジュール１０１０を介して上記撮像モジュールの内部に入射される場合に、上記感光性チップ１０３３に照射され、光電気変換が行われることにより、上記撮像モジュールが物体の映像を取得することができる。
【０１６１】
さらに、上記焦点調整機構１０１２と上記支持構造物１０１３は、上記レンズベース１０３２の上部に固定され組み立てられ、上記レンズベース１０３２と接続されることにより、各上記光学レンズ１０１１が、上記感光性チップ１０３３の感光経路に位置して、その後の結像が行われるようにする。したがって、上記撮像モジュールがさらに安定的に動作するようにして、動作の信頼性を向上させることができる。
【０１６２】
図９は、上記好ましい実施形態によるレンズアセンブリ１０１０の撮像モジュールの他の一実施例を示す。図９を参照すると、撮像モジュールは、上記レンズモジュール１０１０と感光性デバイス１０３０Ｂを含む。上記感光性デバイス１０３０Ｂは、フィルタ１０３１Ｂ、レンズベース１０３２Ｂ、感光性チップ１０３３Ｂと回路基板１０３４Ｂを含み、上記感光性デバイス１０３０Ｂは、フリップチップ（ｃｈｉｐ  ｏｎ  ｂｏａｒｄ）工程を介して製造され、上記フィルタ１０３１Ｂは、上記レンズベース１０３２Ｂの内部の上方に装着されて、上記レンズベース１０３２Ｂと接続される。上記感光性チップ１０３３Ｂは、上記フィルタ１０３１Ｂの下部と一定の距離を維持するように装着され、上記感光性チップ１０３３Ｂは、上記レンズベース１０３２Ｂと直接接続され、上記レンズベース１０３２Ｂの底部に装着された上記回路基板１０３４Ｂと一定の距離を維持する。上記レンズベース１０３２Ｂは、電気機能を備え、対応する電気素子がその内部に内蔵されて、上記撮像モジュールの結像画像を確保するとともに、上記感光性デバイス１０３０Ｂの厚さがより薄く、コンパクトに装着するようにし、上記撮像モジュールのサイズを削減することができる。
【０１６３】
上記レンズモジュール１０１０は、上記感光性デバイス１０３０Ｂの上部に装着され、上記感光性チップ１０３３Ｂの感光経路に位置する。物体によって反射された光線が、上記レンズモジュール１０１０を介して上記撮像モジュールの内部に入射される場合に、上記感光性チップ１０３３Ｂに照射され、光電気変換が行われることにより、上記撮像モジュールは、物体の画像を取得することができる。
【０１６４】
さらに、上記焦点調整機構１０１２と上記支持構造物１０１３は、上記レンズベース１０３２Ｂの上部に固定され装着されて、すべての上記レンズベース１０３２Ｂと接続される。各上記光学レンズ１０１１が上記感光性チップ１０３３Ｂの感光経路に位置することにより、その後の結像が行われるようにする。したがって、上記撮像モジュールがさらに安定的に動作するようにして、動作の信頼性を向上させることができる。
【０１６５】
従来の焦点調整可能な撮像モジュールにおいて、レンズモジュールは、一般的に、レンズアセンブリと焦点調整機構を含む。レンズアセンブリは、光学レンズとレンズを支持する鏡筒を含み、焦点調整機構は、焦点調整機構の他の部分を接続するホルダー（Ｈｏｌｄｅｒ）を含み、上記ホルダーは、移動部材のホルダーであって、内部にねじ山を備え、ねじまたはその他の方法で、レンズアセンブリと結合される。つまり、レンズアセンブリが上記ホルダーに固定されてホルダーと一緒に移動できるように、上記ホルダーと上記レンズアセンブリが結合されることにより、焦点調整の目的を実現する。また、従来の光学レンズアセンブリの光学レンズは、鏡筒に装着された後、その組立位置はもう調整できないので、レンズアセンブリまたは撮像モジュールの組立工程で結像品質の調整を行うことができない。
【０１６６】
本発明は、鏡筒と焦点調整機構のホルダーの改善として、鏡筒および焦点調整機構のホルダーを一体に設計して、組立工程のステップを減らし、製造コストを低減し、結像品質を向上させることができるだけではなく、少なくとも一つの光学レンズを予め組み立てることにより、その後の工程では、組立位置を調整して、調整可能な光学レンズアセンブリを製造することができる。したがって、撮像モジュールの組立工程で結像品質について計画的に調整することができるので、レンズアセンブリと撮像モジュールの製造良品率を向上させることができる。
【０１６７】
図１１Ａ及び図１１Ｂを参照すると、本好ましい実施形態に係る焦点調整機構が組み込まれている調整可能な光学レンズアセンブリの説明を提供する。図１１Ａ及び図１１Ｂに示すように、調整可能な光学レンズアセンブリ２０１０は、少なくとも一つの光学レンズ２０１１、焦点調整機構２０１２と支持構造物２０１３を含み、各上記光学レンズ２０１１は、上記支持構造物２０１３の高さ方向に沿って、上記支持構造物２０１３に備えられている収納室２０１３１に装着される。上記支持構造物２０１３は、上記各光学レンズ２０１１を支持し、上記支持構造物２０１３は、上記焦点調整機構２０１２の内部に装着されて上記焦点調整機構２０１２の通電によって移動し、上記各光学レンズ２０１１が一緒に移動するように駆動されることにより、焦点調整が可能になる。
【０１６８】
本好ましい実施例では、４つの光学レンズ２０１１を含み、これらは、それぞれ第１の光学レンズ２０１１１、第２の光学レンズ２０１１２、第３の光学レンズ２０１１３及び第４の光学レンズ２０１１４である。ここで、少なくとも一つの上記光学レンズ２０１１は、上記支持構造物２０１３に予め組み立てられ、上記支持構造物２０１３での予め組み立てられた上記光学レンズ２０１１の組立位置、調整することができるので、光学レンズアセンブリの光学中心を調整することができる。
【０１６９】
本発明では、予め組み立てられた上記光学レンズ２０１１を調整可能なレンズと呼び、調整可能なレンズを含むレンズアセンブリを調整可能な光学レンズアセンブリと称する。本好ましい実施例において、上記第１の光学レンズ２０１１を上記支持構造物２０１３の内部空間に予め組み立てている。すなわち、上記第１の光学レンズ２０１１は、本好ましい実施例での調整可能なレンズであり、上記支持構造物２０１３での上記調整可能なレンズの組立位置は、少なくとも一つの方向へ調整可能である。例えば、調整可能な方向は、水平方向、垂直方向、傾斜方向と円周方向のうち１つまたは複数であることができる。
【０１７０】
上記支持構造物２０１３は、上記光学レンズ２０１１と同じ数の固定部２０１３２を備え、上記固定部２０１３２は、上記支持構造物２０１３の内壁から上記収納室２０１３１の方向に延長されて、上記光学レンズ２０１１を支持するための突起部を形成する。すなわち、上記各光学レンズ２０１１は、相応する上記固定部２０１３２に装着されることができる。上記支持構造物２０１３を逆さまにして上記各光学レンズ２０１１を組み立てる場合に、上記光学レンズ２０１１を上記固定部２０１３２に装着することができ、接着剤の塗布または溶接に有利だけでなく、組立固定にも有利である。
【０１７１】
上記支持構造物２０１３は、少なくとも一つの調整通路２０１３３を備え、上記調整通路２０１３３は、上記支持構造物２０１３の内部空間と外部環境を連結し、上記調整通路２０１３３を使用して上記支持構造物２０１３の外部から上記調整可能なレンズを調整することができるように、上記調整可能なレンズの外壁は、上記調整通路２０１３３と対応されることで、上記調整可能なレンズの中心軸線を調整することができる。上記調整可能な光学レンズアセンブリ２０１０と感光性チップを組み立てて、撮像モジュールを形成した後、上記調整可能なレンズの調整を介して上記調整可能な光学レンズアセンブリの中心軸線と感光性チップの中心軸線が重畳され、または許容可能な偏差範囲に位置するようにすることにより、撮像モジュールの結像品質を確保することができる。
【０１７２】
本好ましい実施例において、上記支持構造物２０１３の外壁に沿って、４つの上記調整通路２０１３３を配置し、各上記調整通路２０１３３が互いに９０°の角度で離間されるようにし、すべて上記調整可能なレンズに対応するようにする。
【０１７３】
上記支持構造物２０１３は、少なくとも一つの固定通路２０１３４をさらに備え、上記固定通路２０１３４は、上記支持構造物２０１３の外部環境と上記調整可能なレンズが接続されるように、上記支持構造物２０１３の上部に配置される。上記固定通路２０１３４は、上記調整可能なレンズの位置と対応され、好ましくは、上記調整可能なレンズの縁と対応されることで、上記固定通路２０１３４を使用して接着剤を注入して、上記支持構造物２０１３の内壁に上記調整可能なレンズを固定されるようにする。
【０１７４】
本好ましい実施例によると、４つの上記固定通路２０１３４が備えられ、各上記固定通路２０１３４の上部は、上記支持構造物２０１３の上部に配置され、各上記固定通路２０１３４の底部は、上記調整可能なレンズと接続されて、接着剤が上記固定通路２０１３４の上部から底部に注入される場合に、接着剤の硬化により上記調整可能なレンズと上記支持構造物２０１３を接続することができる。
【０１７５】
なお、上記支持構造物２０１３は、従来のレンズモジュール中の鏡筒と、モータのホルダーの機能を同時に備える。本発明では、上記支持構造物２０１３を、鏡筒と焦点調整機構のホルダーとして使用して、上記支持構造物２０１３が上記焦点調整機構２０１２の内部で移動することができるだけでなく、上記光学レンズ２０１１を支持することもできる。また、入射孔以外の他の隙間を介して上記調整可能な光学レンズアセンブリ２０１０の外部の光線が入射されることを防止することができるように、非透明材質で製造されることが好ましい。
【０１７６】
上記支持構造物２０１３は、以下の３つの方法で実装することができる。（１）上記焦点調整機構２０１２の設計時、ホルダーの機能を備えるとともに、そのホルダーは、鏡筒の機能をさらに実行するように製造することにより、鏡筒のサイズに適合され、レンズの支持が可能になる。（２）鏡筒の設計時に、鏡筒がレンズを支持するとともに、焦点調整機構のホルダーの機能を具備して、焦点調整機構に装着して焦点調整機構のホルダーの役割をするようにする。（３）製造時、通過焦点調整機構のホルダーを一つの組合せで製造することができる。上記製造方法は、一例であり、鏡筒を焦点調整機構のホルダーとして使用しても、または、焦点調整機構のホルダーを鏡筒として使用しても、上記支持構造物２０１３の製造方法は、上記支持構造物２０１３が鏡筒と焦点調整機構の機能を同時に持つことができれば、他の方法で実施されてもよいことは、当業者にとって自明である。
【０１７７】
上記焦点調整機構２０１２は、ボイスコイルモータ（ＶＣＭ）、圧電セラミックモータおよび液晶モータなでとして実施することができる。
【０１７８】
図１２、図１３、図１６及び図１８を参照して、本好ましい実施例に係る上記調整可能な光学レンズアセンブリ２０１０の組立方法及び組立に用いられるジグ２０２０について説明する。ここで、上記ジグ２０２０は、上記調整可能な光学レンズアセンブリ２０１０の形状と大きさとマッチングされる。
【０１７９】
上記ジグ２０２０は、第１の支持部２０２１と第２の支持部２０２２を含み、且つ、少なくとも２つの空気通路２０２３を備える。上記第２の支持部２０２２は、上記第１の支持部２０２１の外周に配置され、上記第２の支持部２０２２の上部表面は、上記第１の支持部２０２１の底面よりも高く、上記第１の支持部２０２１には溝が形成されている。上記調整可能な光学レンズアセンブリ２０１０において、上記支持構造物２０１３の上部表面が、上記焦点調整機構２０１２の上部表面よりも高いので、上記ジグ２０２０の上記第１の支持部２０２１と上記第２の支持部２０２２との間の溝は、上記支持構造物２０１３における上記焦点調整機構２０１２よりも高い部分を収容することができる。すなわち、第１の支持部２０２１は、上記支持構造物２０１３の形状とサイズとマッチングされ、上記第２の支持部２０２２は、上記焦点調整機構２０１２の形状と大きさとマッチングされる。上記調整可能な光学レンズアセンブリ２０１０を組み立てることにより、上記焦点調整機構２０１２を上記第２の支持部２０２２に逆さまに装着し、上記支持構造物２０１３を上記第１の支持部２０２１に逆さまに装着する。組立工程では、上記第１の支持部２０２１と上記第２の支持部２０２２は、上記支持構造物２０１３と上記焦点調整機構２０１２を支持する。
【０１８０】
さらに、上記空気通路２０２３は、上記ジグ２０２０の上部と底部を接続して、上記ジグ２０２０の上部の外部環境とその底部の外部環境が上記空気通路２０２３を介して接続されるようにする。ここで、少なくとも一つの上記空気通路２０２３は、上記第１の支持部２０２１に配置され、少なくとも一つの上記空気通路２０２３は、上記第２の支持部２０２２に配置されることにより、ノズルまたはその他の真空機器を上記ジグ２０２０の底部に配置して、上記空気通路２０２３を介して上記支持構造物２０１３と上記焦点調整機構２０１２に外部からの圧力を加えて、上記支持構造物２０１３と上記焦点調整機構２０１２のそれぞれ、上記第１の支持部２０２１および上記第２の支持部２０２２に固定されて、後続の組立工程が便利するようにする。
【０１８１】
本好ましい実施例において、上記第１の支持部２０２１と上記第２の支持部２０２２に４つの上記空気通路２０２３をそれぞれ均一に離隔されるように配置して、全面的に上記支持構造物２０１３と上記焦点調整機構２０１２を固定して、部材の固定がさらに強固になる。
【０１８２】
上記調整可能な光学レンズアセンブリ２０１０の組立方法２０９００は、以下のようなステップを含む。
【０１８３】
ステップ２０９０１において、上記焦点調整機構２０１２と上記支持構造物２０１３を、上記ジグ２０２０上に逆さまに装着する。
【０１８４】
ステップ２０９０２において、上記ジグ２０２０を調整して、上記焦点調整機構２０１２と上記支持構造物２０１３を上記ジグ２０２０上に固定する。
【０１８５】
ステップ２０９０３において、上記各光学レンズ２０１１を順次上記支持構造物２０１３の内部空間に組み立て、ここで、少なくとも一つの上記光学レンズ２０１１を調整可能なレンズとして、上記調整可能なレンズの組立位置は調整可能である。
【０１８６】
ステップ２０９０４において、上記調整可能なレンズ以外の他の光学レンズ２０１１を固定する。
【０１８７】
ステップ２０９０５において、上記ジグ２０２０から上記調整可能な光学レンズアセンブリ２０１０を取り外して、上記調整可能な光学レンズアセンブリ２０１０の組み立てを完了する。
【０１８８】
上記ステップ２０９０１で、上記支持構造物２０１３は、設計時に、鏡筒と焦点調整可能な装置のホルダーの２つの機能を備えるように設計されているので、上記焦点調整機構２０１２と上記支持構造物２０１３は、以下のような３つの方法のうちの一つの方法で組み立てることができる。（ａ）上記焦点調整機構２０１２は、上記支持構造物２０１３と予め接続されて、上記支持構造物２０１３が焦点調整機構２０１２のホルダーの機能を実行するようにして、両者は一体として、上記ジグ２０２０上に逆さまに装着されて、鏡筒の機能をさらに実行するようにする。（ｂ）上記焦点調整機構２０１２と上記支持構造物２０１３とを、マッチングされる上記ジグ２０２０上に逆さまに装着した後、両者を組み立てる。（ｃ）上記各光学レンズ２０１１を上記支持構造物２０１３の内部に装着した後、上記支持構造物２０１３が鏡筒の機能を実行するようにして、上記各光学レンズ２０１１と一体に組み立てた後、上記支持構造物２０１３と上記焦点調整機構２０１２を組み立てることにより、上記焦点調整機構２０１２のホルダーの機能をさらに実行するようにする。
【０１８９】
上記ステップ２０９０２で、上記ジグ２０２０を調整して、ノズルまたは真空機器と配合するようにし、上記ジグ２０２０の底部では、上記ノズルまたは真空機器が上記空気通路２０２３に向けて加圧するようにすることで、上記空気通路２０２３を介して吸引を行い、上記焦点調整機構２０１２と上記支持構造物２０１３を固定するようにする。さらに、上記焦点調整機構２０１２と上記支持構造物２０１３をそれぞれ上記ジグ２０２０の上記第２の支持部２０２２と上記第１の支持部２０２１に固定して、上記構成がその後の組立工程でスライド、揺れ、ズレなどの現象が発生することを防止して、組み立て偏差を減らし、組み立て精度を確保することができる。
【０１９０】
上記ステップ２０９０３と上記ステップ２０９０４で、上記各光学レンズ２０１１を装着する。例えば、本好ましい実施例では、４つの光学レンズ２０１１を装着する。本好ましい実施例では、上記光学レンズ２０１１を一つずつ装着する方法を用いて上記第１の光学レンズ２０１１１、第２の光学レンズ２０１１２、第３の光学レンズ２０１１３及び第４の光学レンズ２０１１４を順次に装着する。上記第１の光学レンズ２０１１１は、調整可能なレンズとして、上記支持構造物２０１３に予め組み立てられるので、その後の工程で調整できるように固定しない。熱硬化接着剤とＵＶ接着剤の混合剤を利用して、紫外線照射により半硬化を進め、その後の工程でこれについて調整できるように、上記第１の光学レンズ２０１１１を上記支持構造物２０１３に予め組み立てる。調整後、直接ベーキング処理を行うことにより、予め組み立てに使用された接着剤が完全に硬化され、上記第１の光学レンズ２０１１１を固定する。上記第２の光学レンズ２０１１２、第３の光学レンズ２０１１３及び上記第４の光学レンズ２０１１４を装着した後、熱硬化接着剤を用いて直接固定することができる。光学レンズ２０１１を１つ装着するたびに固定してもよく、すべての光学レンズを装着した後に固定してもよく、これは実際の状況に応じて選択することができる。該当分野の当業者達は、上記支持構造物２０１３の内壁の構造に応じて各上記光学レンズ２０１１の組立方式を選択することができることを理解できるだろう。具体的に、４つの光学レンズ２０１１中のいずれか１つまたは複数のレンズを調整可能なレンズとして予め組み立てるが、予め組み立てられた上記調整可能なレンズは、外部から調整可能なように、上記支持構造物２０１３における上記焦点調整可能なデバイスよりも高い部分の構造上に装着されるべきである。
【０１９１】
なお、上記調整可能なレンズ以外の他のレンズの固定において、すなわち、第２の光学レンズ２０１１２、第３の光学レンズ２０１１３及び上記第４の光学レンズ２０１１４の組み立てを完了した後、接着剤塗布の方法で熱硬化接着剤を用いて固定する。上記調整可能な光学レンズアセンブリ２０１０を撮像モジュールに装着した後、上記調整可能なレンズについて、すなわち、本好ましい実施例では上記第１の光学レンズ２０１１１を調整して、上記調整可能な光学レンズアセンブリ２０１０の中心軸線と撮像モジュール中の感光性チップの中心軸線とが重畳され、または許容偏差の範囲に位置するようにした後、上記調整可能なレンズの調整が要求に合致するようにして固定する。
【０１９２】
上記ステップ２０９０５で、ノズルまたはその他の真空機器を取り外して、上記ジグ２０２０から上記調整可能な光学レンズアセンブリ２０１０を取り出すことにより、上記調整可能な光学レンズアセンブリ２０１０の組み立てを完了する。上記調整可能な光学レンズアセンブリ２０１０の取り外しは、上記空気通路２０２３を通じて気体を噴射する方式で進行することができる。すなわち、上記調整可能な光学レンズアセンブリ２０１０の反対方向への力を加えて、上記調整可能な光学レンズアセンブリ２０１０を押して取り出すことができる。または、実際の状況に応じて他の方法で上記調整可能な光学レンズアセンブリ２０１０を取り出すことができる。
【０１９３】
図１４を参照して、上記好ましい実施例に係る上記調整可能な光学レンズアセンブリ２０１０を含む撮像モジュールについて説明する。図１４に示すように、撮像モジュールは、上記調整可能な光学レンズアセンブリ２０１０と感光性デバイス２０３０を含み、上記感光性デバイス２０３０は、フィルタ２０３１、レンズベース２０３２、感光性チップ２０３３と回路基板２０３４を含む。上記感光性デバイスは、ＣＯＢ（ｃｈｉｐ  ｏｎ  ｂｏａｒｄ）工程を介して製造され、上記フィルタ２０３１は、上記レンズベース２０３２の内部の上部に装着され、上記レンズベース２０３２と接続され、上記感光性チップ２０３３の上部に位置する。上記感光性チップ２０３３は、上記レンズベース２０３２の内壁と一定の距離を持つように、上記回路基板２０３４の上部に取り付けられる。上記回路基板２０３４は、上記レンズベース２０３２の底部に装着され、上記感光性チップ２０３３が、上記レンズベース２０３２の内部の空間に装着されるようにする。上記調整可能な光学レンズアセンブリ２０１０は、上記感光性デバイス２０３０の上部に装着され、上記感光性チップ２０３３の感光経路に位置する。物体によって反射された光線が上記調整可能な光学レンズアセンブリ２０１０を介して上記撮像モジュールの内部に入射される場合に、上記感光性チップ２０３３に照射され、光電気変換が行われることにより、上記撮像モジュールは、物体の画像を取得することができる。
【０１９４】
さらに、上記焦点調整機構２０１２と上記支持構造物２０１３は、すべて上記レンズベース２０３２の上部に固定され装着されて、上記レンズベース２０３２と接続されて、各上記光学レンズ２０１１が上記感光性チップ２０３３の感光経路に位置することにより、その後の結像が行われるようにする。したがって、上記撮像モジュールがさらに安定的に動作し、動作の信頼性を向上させることができる。
【０１９５】
図１９を参考すると、上記撮像モジュールの組立方法２０１０００は、以下のようなステップを含む。
【０１９６】
ステップ２０１００１において、上記焦点調整機構２０１２と上記支持構造物２０１３を、上記ジグ２０２０上に逆さまに装着する。
【０１９７】
ステップ２０１００２において、上記ジグ２０２０を調整して、上記焦点調整機構２０１２と上記支持構造物２０１３を上記ジグ２０２０上に固定する。
【０１９８】
ステップ２０１００３において、上記各光学レンズ２０１１を順次に上記支持構造物２０１３の内部空間に組み立て、ここで、第１の光学レンズ２０１１１を調整可能なレンズとして、上記調整可能なレンズの組立位置は調整可能である。
【０１９９】
ステップ２０１００４において、上記調整可能なレンズ以外の他の上記各光学レンズ２０１１を固定して、上記調整可能な光学レンズアセンブリ２０１０の組み立てを完了する。
【０２００】
ステップ２０１００５において、組み立てられた上記調整可能な光学レンズアセンブリ２０１０を上記感光性デバイス２０に接続して、上記調整可能な光学レンズアセンブリ２０１０が上記感光性チップ２０３３の感光経路上に位置するようにする。
【０２０１】
ステップ２０１００６において、予め組み立てた撮像モジュールに通電して、撮像モジュールからの画像を収集し、上記調整可能なレンズの調整方法と調整量を算出する。
【０２０２】
ステップ２０１００７において、上記撮像モジュールの画像が解像度の要求を満足するように、調整量に応じて上記調整可能なレンズを調整する。
【０２０３】
ステップ２０１００８において、上記調整可能なレンズを固定して上記撮像モジュールの組み立てを完了する。
【０２０４】
ここで、上記ステップ２０１００１ないしステップ２０１００４は、上記調整可能な光学レンズアセンブリ２０１０の組み立てと同じなので、重複した説明は省略する。
【０２０５】
上記ステップ２０１００５で、上記支持構造物２０１３と上記焦点調整機構２０１２は、すべて上記レンズベース２０３２の上部に装着され、上記レンズベース２０３２と固定され接続される。
【０２０６】
上記ステップ２０１００６で、ソフトウェアを用いて上記調整可能なレンズの調整方法と調整量を算出し、上記調整可能なレンズについて定量的で計画的に調整する。調整後、上記調整可能な光学レンズアセンブリ２０１０の中心軸線と、上記感光性チップ２０３３の中心軸線とが重畳され、または許容偏差の範囲内に位置するようにすることで、上記撮像モジュールの結像画像が解像度の要求を満足するようにする。
【０２０７】
上記ステップ２０１００８で、上記調整可能なレンズは、上記調整通路２０１３３または上記固定通路２０１３４を使用して接着剤を注入して固定され、または上記調整可能なレンズ自体の予め組み立てに使用される接着剤を完全に硬化させる方式を使用して固定される。つまり、以下の２つの方法のうちのいずれかを利用することができる。（１）上記調整通路２０１３３の接着剤を注入してベーキング処理によって、上記調整可能なレンズの予め組み立てに使用される接着剤と調整通路２０１３３に注入された接着剤とを同時に硬化させ、上記調整可能なレンズが固定されるようにし、上記調整通路を密封する。（２）上記固定通路２０１３４の接着剤を注入して、上記調整可能なレンズと接触するようにして、上記固定通路２０１３４を介して注入された接着剤および上記調整可能なレンズの予め組み立てに使用される接着剤を同時に硬化させ、上記調整可能なレンズと上記固定通路２０１３４を同時に固定する。（３）同時に上記調整通路２０１３３と上記固定通路２０１３４を使用して接着剤を注入し硬化させることにより、上記調整可能なレンズを固定する。（４）上記調整可能なレンズが上記固定部２０１３２に装着される場合に、接着剤を利用して、半硬化の進行時にベーキング処理を直接に行って、予め組み立てに使用される接着剤を完全に硬化させることで、上記調整可能なレンズを固定する。
【０２０８】
図１５を参照して、上記好ましい実施例に係る上記調整可能な光学レンズアセンブリ２０１０を含む撮像モジュールの一実施例について説明する。図１５に示すように、撮像モジュールは、上記調整可能な光学レンズアセンブリ２０１０と感光性デバイス２０３０Ａを含み、上記感光性デバイス２０３０Ａは、フィルタ２０３１Ａ、レンズベース２０３２Ａ、感光性チップ２０３３Ａと回路基板２０３４Ａを含む。上記感光性デバイス２０３０Ａはフリップチップ（ｃｈｉｐ  ｏｎ  ｂｏａｒｄ）工程を介して製造され、上記フィルタ２０３１Ａは、上記レンズベース２０３２Ａの内部の上方に装着され、上記レンズベース２０３２Ａと接続される。上記感光性チップ２０３３Ａは、上記フィルタ２０３１Ａの下部に一定の距離を維持するように装着される。上記感光性チップ２０３３Ａは、上記レンズベース２０３２Ａに直接接続され、上記レンズベース２０３２Ａの底部に装着された上記回路基板２０３４Ａと一定の距離を維持する。上記レンズベース２０３２Ａは、電気機能を備え、対応する電気素子を内部に内蔵して、上記撮像モジュールの結像画像を確保するとともに、上記感光性デバイス２０３０Ａの厚さがより薄く、サイズがよりコンパクトになって、上記撮像モジュールのサイズを削減することができる。
【０２０９】
上記調整可能な光学レンズアセンブリ２０１０は、上記感光性デバイス２０３０Ａの上部に装着され、上記感光性チップ２０３３Ａの感光経路に位置する。物体によって反射された光線が上記調整可能な光学レンズアセンブリ２０１０を介して上記撮像モジュールの内部に入射される場合に、上記感光性チップ２０３３Ａに照射され、光電気変換が行われることにより、上記撮像モジュールが物体の映像を取得することができる。
【０２１０】
さらに、上記焦点調整機構２０１２と上記支持構造物２０１３は、すべて上記レンズベース２０３２Ａの上部に固定され組み立てられ、上記レンズベース２０３２Ａと接続されて、各上記光学レンズ２０１１がすべて上記感光性チップ２０３３Ａの感光経路に位置することにより、その後の結像が行われるようにする。したがって、上記撮像モジュールがさらに安定的に動作し、動作の信頼性を向上させることができる。
【０２１１】
図１６を参照して、本発明に係る調整可能な光学レンズアセンブリの第２の実施例について説明する。図１６に示すように、調整可能な光学レンズアセンブリ２０１０Ｂは、少なくとも２つの光学レンズ２０１１Ｂ、焦点調整機構２０１２Ｂと支持構造物２０１３Ｂを含み、各上記光学レンズ２０１１Ｂは上記支持構造物２０１３Ｂの高さ方向に沿って上記支持構造物２０１３Ｂの内部空間に配置され、その中の少なくとも２つの上記光学レンズ２０１１Ｂの組立位置は調整可能であり、上記支持構造物２０１３Ｂは、上記焦点調整機構２０１２Ｂに装着され、上記焦点調整機構２０１２Ｂの他の素子を接続し、上記焦点調整機構２０１２Ｂの通電によって移動することにより、焦点調整を行うことができる。
【０２１２】
上記支持構造物２０１３Ｂは、従来のレンズアセンブリの鏡筒と焦点調整機構のホルダーの機能を実行し、各上記光学レンズ２０１１１３Ｂを支持することができ、上記焦点調整機構２０１２Ｂのホルダーの機能を実行する。また、上記焦点調整機構２０１２Ｂの通電によって移動することにより、レンズアセンブリのサイズを削減し、組立を簡単化し、結像品質を向上させることができる。
【０２１３】
本好ましい実施例によると、４つの光学レンズ２０１１Ｂを含み、それぞれ第１の光学レンズ２０１１１Ｂ、第２の光学レンズ２０１１２Ｂ、第３の光学レンズ２０１１３Ｂ及び第４の光学レンズ２０１１４Ｂである。ここで、上記第１の光学レンズ２０１１１Ｂ及び上記第２の光学レンズ２０１１２Ｂは上記支持構造物２０１３Ｂに予め組み立てられ、組立位置が少なくとも一つの方向へ調整可能である。すなわち、本好ましい実施例では、第１の光学レンズ２０１１１Ｂ及び上記第２の光学レンズ２０１１２Ｂは調整可能なレンズである。
【０２１４】
上記支持構造物２０１３Ｂは、上記光学レンズ２０１１Ｂと同じ数の固定部２０１３２Ｂを備え、上記固定部２０１３２Ｂは上記支持構造物２０１３Ｂの内壁から上記収納室２０１３１Ｂの方向に沿って延長されて上記光学レンズ２０１１Ｂを支持するための突起部を形成する。すなわち、上記各光学レンズ２０１１Ｂは、相応する上記固定部２０１３２Ｂに装着することができ、上記支持構造物２０１３Ｂを逆さまにして各上記光学レンズ２０１１Ｂを組み立てる場合に、上記固定部への上記光学レンズ２０１１Ｂの装着、接着剤塗布または溶接に有利だけでなく、組立固定にも有利である。
【０２１５】
上記支持構造物２０１３Ｂは、少なくとも２つの調整通路２０１３３Ｂを備え、上記調整通路２０１３３Ｂは上記支持構造物２０１３Ｂの内部空間と外部環境を連結し、上記各調整可能なレンズの外壁は、それぞれ少なくとも一つの上記調整通路２０１３３Ｂと対応されることにより、上記調整通路２０１３３Ｂを介して上記支持構造物２０１３Ｂの外部から上記調整可能なレンズを調整できるようにし、さらに、上記調整可能なレンズの中心軸線を調整するようにする。
【０２１６】
本好ましい実施例において、上記支持構造物２０１３Ｂの外壁に沿って８つの上記調整通路２０１３３Ｂが配置され、１グループあたり４個ずつ配置され、各グループは、上記支持構造物２０１３Ｂに沿って円柱状に配置される。その中の一グループは、上記第１の光学レンズ２０１１１Ｂと対応され、別のグループは、上記第２の光学レンズ２０１１２Ｂと対応され、各グループの中の各調整通路２０１３３Ｂは９０°の角度で離隔され、相応する上記調整可能なレンズとそれぞれ対応される。
【０２１７】
上記調整可能な光学レンズアセンブリ２０１０Ｂを組み立てる時、上記第１の光学レンズ２０１１Ｂ及び上記第２の光学レンズ２０１１２Ｂを上記支持構造物２０１３Ｂに装着し、これに対して調整可能なように完全に固定しなく、第３の光学レンズ２０１１３Ｂと上記第４の光学レンズ２０１１４Ｂを固定する。
【０２１８】
上記第１の光学レンズ２０１１１Ｂ及び上記第２の光学レンズ２０１１２Ｂを調整して、上記調整可能な光学レンズアセンブリ２０１０Ｂの中心軸線が要求に合致するようにした後、上記第１の光学レンズ２０１１１Ｂと上記第２の光学レンズ２０１１２Ｂを固定する。固定時、次のような方法が適用されることができる。（１）熱硬化接着剤とＵＶ接着剤を用いて、紫外線照射による半硬化を進めて、上記第１の光学レンズ２０１１１Ｂ及び上記第２の光学レンズ２０１１２Ｂを予め組み立てる場合、調整後、ベーキング処理を直接行って、予め組み立てに使用される接着剤が完全に硬化されるようにして、上記第１の光学レンズ２０１１１Ｂ及び上記第２の光学レンズ２０１１２Ｂを固定する。（２）熱硬化接着剤とＵＶ接着剤を用いて、紫外線照射による半硬化を進めて、上記第１の光学レンズ２０１１１Ｂ及び上記第２の光学レンズ２０１１２Ｂを予め組み立てる場合、調整後、上記調整通路２０１３３Ｂを介して接着剤、例えば、熱硬化接着剤を注入して、ベーキング処理を経て、予め組み立てに使用される接着剤及び上記調整通路２０１３３Ｂを介して注入された接着剤が完全に硬化されるようにして、上記第１の光学レンズ２０１１１Ｂ及び上記第２の光学レンズ２０１１２Ｂを固定するとともに、上記調整通路２０１３３Ｂを密封する。（３）その他の方式を用いて上記第１の光学レンズ２０１１１Ｂ及び上記第２の光学レンズ２０１１２Ｂを予め組み立てた場合、調整後、上記調整通路２０１３３Ｂを介して接着剤を注入して固定するとともに、上記調整通路２０１３３Ｂを密封する。（４）上記支持構造物２０１３Ｂの上部に固定通路を配置して、接着剤を注入して上記第１の光学レンズ２０１１１Ｂを固定し、上記調整通路２０１３３Ｂに接着剤を注入することにより、上記第２の光学レンズ２０１１２Ｂを固定することもできる。
【０２１９】
図１７を参照して、上記好ましい実施例に係る上記調整可能な光学レンズアセンブリ２０１０Ｂを含む撮像モジュールについて説明する。図１７に示すように、撮像モジュールは、上記調整可能な光学レンズアセンブリ２０１０Ｂと感光性デバイス２０３０Ｂを含み、上記感光性デバイス２０３０Ｂは、フィルタ２０３１Ｂ、レンズベース２０３２Ｂ、感光性チップ２０３３Ｂと回路基板２０３４Ｂを含む。上記感光性デバイスは、ＣＯＢ（ｃｈｉｐ  ｏｎ  ｂｏａｒｄ）工程を介して製造され、上記フィルタ２０３１Ｂは、上記レンズベース２０３２Ｂの内部の上方に装着され、上記レンズベース２０３２Ｂと接続され、上記感光性チップ２０３３Ｂの上方に位置する。上記感光性チップ２０３３Ｂは、上記回路基板２０３４Ｂの上記レンズベース２０３２Ｂの内壁と一定の距離を維持するように、上部に取り付けられる。上記回路基板２０３４Ｂは、レンズベース２０３２Ｂの底部に装着されて、上記感光性チップ２０３３Ｂが上記レンズベース２０３２Ｂの内部の空間に装着されるようにする。上記調整可能な光学レンズアセンブリ２０１０Ｂは、上記感光性デバイス２０３０Ｂの上部に装着され、上記感光性チップ２０３３Ｂの感光経路に位置する。物体によって反射された光線が上記調整可能な光学レンズアセンブリ２０１０Ｂを介して上記撮像モジュールの内部に入射される場合に、上記感光性チップ２０３３Ｂに照射され、光電気変換が行われることにより、上記撮像モジュールが物体の映像を取得することができる。
【０２２０】
さらに、上記焦点調整機構２０１２Ｂと上記支持構造物２０１３Ｂは、すべて上記レンズベース２０３２Ｂの上部に固定され組み立てられ、上記レンズベース２０３２Ｂと接続され、各上記光学レンズ２０１１Ｂがすべて上記感光性チップ２０３３Ｂの感光経路に位置して、その後の結像が行われるようにする。これにより、上記撮像モジュールがさらに安定的に動作し、動作の信頼性を向上させることができる。
【０２２１】
本発明では、各鏡筒と焦点調整機構のホルダーの改善を進めたことで、レンズアセンブリの鏡筒と焦点調整機構を固定するホルダーを一体に設計して、組立工程のステップを減らし、製造コストを低減し、結像品質を向上させることができるだけでなく、少なくとも一つのレンズアセンブリを予め組み立てることにより、その後の工程で組立位置を調整して、調整可能な分離式レンズアセンブリを製造する。したがって、組立工程で撮像モジュールの結像品質を計画的に調整することができるので、分離式レンズアセンブリと撮像モジュールの製造良品率を向上させることができる。
【０２２２】
図２０を参照して、本発明で提供される分離式レンズモジュールについて説明する。図２０に示すように、分離式レンズモジュール３０１０は、レンズアセンブリ３０１００および焦点調整機構３０１２を含み、上記レンズアセンブリ３０１００は、少なくとも２つの光学レンズ３０１１、少なくとも一つの鏡筒部材３０１４と支持構造物３０１３を含む。ここで、各上記光学レンズ３０１１は、それぞれ上記支持構造物３０１３と上記鏡筒部材３０１４に装着されて、上記支持構造物３０１３を含む固定レンズアセンブリ１及び上記鏡筒部材３０１４を含む少なくとも一つの調整待ちレンズアセンブリ２を構成する。上記調整待ちレンズアセンブリ２は、上記固定レンズアセンブリ１に予め組み立てられ、上記調整待ちレンズアセンブリ２の組立位置は上記固定レンズアセンブリ１の組立位置に対して調整可能であり、さらに、上記分離式レンズモジュール３０１０の光学中心を調整することができる。上記固定レンズアセンブリ１は、上記焦点調整機構３０１２の内部に装着され、上記支持構造物３０１３は、上記焦点調整機構３０１２のホルダーであって、上記焦点調整機構３０１２の通電によって移動することにより、焦点調整が可能になる。
【０２２３】
本好ましい実施例は、一つの上記固定レンズアセンブリ１と１つの上記調整待ちレンズアセンブリ２を例に説明したが、ここで、上記固定レンズアセンブリ１は、少なくとも一つの上記光学レンズ３０１１を支持し、上記調整待ちレンズアセンブリ２は、少なくとも一つの上記光学レンズ３０１１を支持する。図２０に示すように、本好ましい実施例では、上記固定レンズアセンブリ１は、３つの光学レンズ３０１１を含み、上記３つの光学レンズ３０１１は、順次に上記支持構造物３０１３の高さ方向に沿って上記支持構造物３０１３の内部空間に装着され配置される。接着剤塗布や溶接またはその他の方法を用いて上記光学レンズ３０１１と上記支持構造物３０１３を組み立てて固定することができるが、本好適な実施例では、熱硬化接着剤を用いて上記光学レンズ３０１１を上記支持構造物３０１３に固定する。
【０２２４】
さらに、上記支持構造物３０１３は、上記各光学レンズ３０１１を支持するための上記固定レンズアセンブリ１の鏡筒部材の機能を実行するだけでなく、上記焦点調整機構３０１２の内部に装着されて上記焦点調整機構３０１２のその他の部材を接続して、上記焦点調整機構３０１２のホルダーとして作用する。上記焦点調整機構３０１２に通電する場合に、上記支持構造物３０１３は、上記焦点調整機構３０１２の通電によって移動することができる。したがって、上記焦点調整機構３０１２の高さ方向またはその他の方向に移動することで、焦点調整が可能になる。
【０２２５】
上記調整待ちレンズアセンブリ２は、上記光学レンズ３０１１を含み、上記光学レンズ３０１１は、上記鏡筒部材３０１４の内部空間に固定され、接着剤塗布または溶接またはその他の方法を利用して上記光学レンズ３０１１と上記支持構造物３０１３を組み立てて固定することができる。本好適な実施例では、熱硬化接着剤を用いて上記光学レンズ３０１１を、上記鏡筒部材３０１４に固定する。
【０２２６】
上記調整待ちレンズアセンブリ２は、接着剤３によって上記固定レンズアセンブリ１の上部に予め組み立てられる。すなわち、上記鏡筒部材３０１４は、上記接着剤３によって上記支持構造物３０１３と接続されて、上記調整待ちレンズアセンブリ２と上記固定レンズアセンブリ１の組み立てを実現する。上記調整待ちレンズアセンブリ２の組立位置は、少なくとも一つの方向へ調整することができ、調整可能な方向は、水平方向、垂直方向、傾斜方向と円周方向のうち１つまたは複数を選択することができる。
【０２２７】
なお、上記調整待ちレンズアセンブリ２の予め組み立てに使用される上記接着剤３は、熱硬化接着剤またはＵＶ接着剤と熱硬化接着剤の混合剤を選択することができる。本好ましい実施例による上記接着剤３は、ＵＶ接着剤と熱硬化接着剤の混合剤であり、紫外線照射を経て、上記接着剤３が半硬化されることによって、予め組み立てを実現する。後続的に上記調整待ちレンズアセンブリ２の調整を進めて固定する場合、ベーキング処理を経て、上記接着剤３が完全に硬化されることにより、上記分離式レンズモジュール３０１０全体を固定することができる。
【０２２８】
さらに、本好ましい実施例は、ただ例示であるだけで、当該分野の当業者は、複数の上記調整待ちレンズアセンブリ２を予め組み立てて、複数の調整可能なレンズアセンブリを形成し、または複数のレンズアセンブリを固定して、１つまたは複数のレンズアセンブリを調整待ちレンズアセンブリに保留することにより、その後の工程で、レンズアセンブリの光学中心について調整することができることを理解する。
【０２２９】
図２１、図２２、図２６及び図２７を参照して、本発明の分離式レンズモジュール３０１０の組立方法及び組立工程に使用されるジグ３０２０について説明する。上記ジグ３０２０は、上記分離式レンズモジュール３０１０の形状とサイズとマッチングされて、上記分離式レンズモジュール３０１０の組み立てに補助的に使用される。
【０２３０】
図２６に示すように、上記ジグ３０２０は、第１の支持部３０２１と第２の支持部３０２２を含み、少なくとも２つの空気通路３０２３を備える。上記第２の支持部３０２２は、上記第１の支持部３０２１の外周に配置され、上記第２の支持部３０２２の上部表面は、上記第１の支持部３０２１の底面よりも高い。第１の支持部と第２の支持部との間に溝が形成され、上記溝は、上記第１の支持部３０２１に位置する。上記分離式レンズモジュール３０１０において、上記支持構造物３０１３の上部表面が、上記焦点調整機構３０１２の上部表面よりも高いので、上記ジグ３０２０の上記第１の支持部３０２１と上記第２の支持部３０２２との間の溝は、上記支持構造物３０１３と上記鏡筒部材３０１４における上記焦点調整機構３０１２よりも高い部分を収容することができる。すなわち、第１の支持部３０２１は、上記支持構造物３０１３と、上記鏡筒部材３０１４の形状とサイズとマッチングされ、上記第２の支持部３０２２は、上記焦点調整機構３０１２の形とサイズとマッチングされる。上記分離式レンズモジュール３０１０の組立時、上記焦点調整機構３０１２は、上記第２の支持部３０２２に逆装着され、上記支持構造物３０１３は、上記第１の支持部３０２１に逆装着され、組立プロセスにおいて、上記第１の支持部３０２１と上記第２の支持部３０２２は、それぞれ上記支持構造物３０１３、上記鏡筒部材３０１４と上記焦点調整機構３０１２を支持する。
【０２３１】
さらに、上記空気通路３０２３は、上記ジグ３０２０の上部と底部に連結することにより、上記ジグ３０２０の上部の外側環境と底部の外部環境が上記空気通路３０２３によって接続されるようにする。上記第１の支持部３０２１には、少なくとも一つの上記空気通路３０２３が配置され、上記第２の支持部３０２２には、少なくとも一つの上記空気通路３０２３が配置されることにより、ノズルまたはその他の真空機器を上記ジグ３０２０の底部に配置して、上記空気通路３０２３を介して上記支持構造物３０１３と、上記焦点調整機構３０１２に外力を加えて上記支持構造物３０１３、および／または上記鏡筒部材３０１４と上記焦点調整機構３０１２をそれぞれ上記第１の支持部３０２１と上記第２の支持部３０２２に固定する。これにより、その後の工程で組み立てを進めるのに便利になる。
【０２３２】
本好ましい実施例において、上記第１の支持部３０２１と上記第２の支持部３０２２には、それぞれ４つの上記空気通路３０２３が均一に離隔されて配置されることにより、上記支持構造物１３と上記焦点調整機構３０１２を全面的に固定し、さらに強固に固定されるようにする。
【０２３３】
図２１、図２２及び図２７に示すように、上記分離式レンズモジュール３０１０の組立方法９００は、次のようなステップを含む。
【０２３４】
ステップ３０９０１において、上記焦点調整機構３０１２と上記支持構造物３０１３を、上記ジグ３０２０上に逆さまに装着する。
【０２３５】
ステップ３０９０２において、上記ジグ３０２０を調整して、上記焦点調整機構３０１２と上記支持構造物３０１３を上記ジグ３０２０上に固定する。
【０２３６】
ステップ３０９０３において、上記各光学レンズ３０１１を順次上記支持構造物３０１３の内部空間にしっかりと固定して上記固定レンズアセンブリ１を形成する。
【０２３７】
ステップ３０９０４において、上記ジグ３０２０から上記固定レンズアセンブリ１を取り外す。
【０２３８】
ステップ３０９０５において、上記調整待ちレンズアセンブリ２を上記固定レンズアセンブリ１の上部に予め組み立てる。
【０２３９】
ステップ３０９０６において、上記分離式レンズモジュール３０１０の組み立てを完了する。
【０２４０】
上記ステップ３０９０１で、上記支持構造物３０１３は、設計時、鏡筒と焦点調整可能な枚ホルダーの２つの機能を備えるように設計されているので、上記焦点調整機構３０１２と上記支持構造物３０１３は、以下のような３つの方法のうちの一つの方法で組み立てることができる。（ａ）上記焦点調整機構３０１２は、上記支持構造物３０１３と予め接続されて、上記支持構造物３０１３が焦点調整機構３０１２のホルダー機能を実行するようにして、両者が一体として、上記ジグ３０２０上に逆さまに装着されることにより、さらに、鏡筒の機能を実行するようにする。（ｂ）上記焦点調整機構３０１２と上記支持構造物３０１３を、マッチングされる上記ジグ３０２０上に逆さまにそれぞれ装置した後、両者を組み立てる。（ｃ）上記各光学レンズ３０１１を上記支持構造物３０１３の内部に装着した後、上記支持構造物３０１３が、鏡筒の機能を実行するようにして、上記各光学レンズ３０１１と一体に組み立てて、上記支持構造物３０１３と上記焦点調整機構３０１２を組み立てる。これにより、さらに上記焦点調整機構３０１２のホルダーの機能を実行するようにする。
【０２４１】
上記ステップ３０９０２で、上記ジグ３０２０を調整して、ノズルまたは真空機器と配合するようにし、上記ジグ３０２０の底部では、上記ノズルまたは真空機器が上記空気通路３０２３を向かって加圧するようにすることにより、上記空気通路３０２３を介して吸引を行い、上記焦点調整機構３０１２と上記支持構造物３０１３を固定するようにする。さらに、上記焦点調整機構３０１２と上記支持構造物３０１３をそれぞれ上記ジグ３０２０の上記第２の支持部３０２２と上記第１の支持部３０２１に固定して、上記構成がその後の組立工程でスライド、揺れ、ズレなどの現象が発生することを防止して、組み立て偏差を減らし、組み立て精度を確保することができる。
【０２４２】
さらに、第１の支持部３０２１と上記第２の支持部３０２２との間に形成された上記溝の深さは、上記支持構造物３０１３と上記焦点調整機構３０１２との間の高さの差と同じである。したがって、上記支持構造物３０１３における上記焦点調整機構３０１２よりも高い部分を収容することができる。
【０２４３】
なお、上記支持構造物３０１３と上記焦点調整機構３０１２が逆さまに装着する前に接続されている場合は、上記第１の支持部３０２１に、上記空気通路３０２３を配置しなく、上記焦点調整機構３０１２だけを固定すればよい。
【０２４４】
上記ステップ３０９０３で、上記各光学レンズ３０１１を装着する。例えば、本好ましい実施例では、３つの光学レンズ３０１１を装着する。本好ましい実施例では、上記光学レンズ１１を一つずつ装着する方法を利用して、３つの光学レンズ３０１１を順次に装着し、装着した後、熱硬化接着剤を用いて直接固定する。具体的には、光学レンズごとに１つ装着するたびに固定してもよく、すべての光学レンズを装着した後、一緒に固定してもよく、実際の状況に応じて選択することができる。該当分野の当業者達は、上記支持構造物３０１３の内壁の構造に応じて各上記光学レンズ３０１１の組立方式を選択することができることを理解できるだろう。例えば、３つの光学レンズ３０１１を結合して組み立てた後、一体に上記支持構造物３０１３の内部空間に装着することができる。
【０２４５】
なお、上記各光学レンズ３０１１は、上記鏡筒部材３０１４に予め組み立てられて、その後の工程で調整することもできる。
【０２４６】
上記ステップ３０９０４で、まず、ノズルまたはその他の真空機器を取り外した後、上記ジグ３０２０から上記固定レンズアセンブリ１を取り出して、上記固定レンズアセンブリ１の組立を完了する。上記固定レンズアセンブリ１の取り外しは、上記空気通路３０２３を介して気体を噴射して上記固定レンズアセンブリ１に反対方向への力を加えて、上記固定レンズアセンブリ１を押して取り出す方式を利用することもできる。または、実際の状況に応じて他の方法で上記固定レンズアセンブリ１を着脱することができる。
【０２４７】
上記ステップ３０９０５で、上記調整待ちレンズアセンブリ２を上記固定レンズアセンブリ１に予め組み立て前に、上記調整待ちレンズアセンブリ２を組み立てる。すなわち、上記光学レンズ３０１１を上記鏡筒部材３０１４の内部空間に固定して、上記調整待ちレンズアセンブリ２の組み立てを完了する。上記ジグ３０２０を用いて上記調整待ちレンズアセンブリ２の組み立てを行う場合、上記空気通路３０２３を介して、上記調整待ちレンズアセンブリ２の上記鏡筒部材３０１４を上記第１の支持部３０２１に固定し、上記光学レンズ３０１１を上記鏡筒部材３０１４にしっかりと固定する。
【０２４８】
上記調整待ちレンズアセンブリ２を組み立てた後、上記接着剤３を用いて上記調整待ちレンズアセンブリ２を上記固定レンズアセンブリ１の上部に装着する。つまり、上記接着剤３を上記調整待ちレンズアセンブリ２の底部または上記固定レンズアセンブリ１の上部に塗布して、すなわち、上記接着剤３を上記鏡筒部材３０１４の底部または上記支持構造物３０１３の上部に塗布して、上記鏡筒部材３０１４と上記支持構造物３０１３が上記接着剤３によって接続されるようにする。これにより、上記鏡筒部材３０１４を介して上記調整待ちレンズアセンブリ２を調整する。
【０２４９】
上記ステップ３０９０６で、上記調整待ちレンズアセンブリ２は、上記分離式レンズモジュール３０１０に予め組み立てられ、組立位置は調整可能である。上記分離式レンズモジュール３０１０を撮像モジュールに組み立てた後、上記調整待ちレンズアセンブリ２を調整することにより、撮像モジュールの結像画像が解像度の要求を満足するようにして、上記調整待ちレンズアセンブリ２を完全に固定する。
【０２５０】
図２３、図２４及び図２８を参照して、本発明に提供される上記分離式レンズモジュール３０１０の第二の組立方法について説明する。ジグ３０２０Ａは、上記分離式レンズモジュール３０１０とマッチングされ、上記分離式レンズモジュール３０１０の組み立てに使用される。上記ジグ３０２０Ａは、第１の支持部３０２１Ａ及び第２の支持部３０２２Ａを含み、且つ、少なくとも２つの空気通路３０２３Ａを備える。上記第２の支持部３０２２Ａは、上記第１の支持部３０２１Ａの外周に配置され、上記第１の支持部３０２１Ａは、少なくとも一つの上記空気通路３０２３Ａが配置され、上記第２の支持部３０２２Ａは少なくとも一つの上記空気通路３０２３Ａが配置される。
【０２５１】
さらに、第１の支持部３０２１Ａの形と大きさは、上記鏡筒部材３０１４、上記支持構造物３０１３が結合された後の形状と大きさとマッチングされる。上記第２の支持部３０２２Ａと上記焦点調整機構３０１２の形状とサイズは、マッチングされて組み立てができるようにする。上記第１の支持部３０２１Ａの上部表面は、上記第２の支持部３０２２Ａの底面よりも低く、第１の支持部と第２の支持部との間に溝が形成され、且つ、上記支持構造物１３の上部表面は、上記焦点調整機構３０１２の上部表面よりも高く、上記鏡筒部材３０１４が上記支持構造物３０１３の上部に重畳されて結合されるので、本好ましい実施例において、上記溝の深さは、上記支持構造物３０１３と上記焦点調整機構３０１２との間の高さの差と、上記鏡筒部材３０１４の高さとの合計と同じである。したがって、上記鏡筒部材３０１４と上記支持構造物３０１３における上記焦点調整機構３０１２よりも高い部分を収容することにより、固定して組み立てが便利である。
【０２５２】
上記分離式レンズモジュール３０１０の第二の組立方法３０１０００は、以下のようなステップを含む。
【０２５３】
ステップ３０１００１において、上記鏡筒部材３０１４を、上記ジグ３０２０Ａ上に逆さまに装着して固定する。
【０２５４】
ステップ３０１００２において、一つの上記光学レンズ３０１１を上記鏡筒部材３０１４に組み立てて固定することにより、上記調整待ちレンズアセンブリ２を形成する。
【０２５５】
ステップ３０１００３において、上記鏡筒部材３０１４に接着剤を塗布し、上記支持構造物３０１３を上記鏡筒部材３０１４上に逆さまに装着して両者を予め組み立てた後、上記焦点調整機構３０１２を上記ジグ３０２０Ａ上に逆さまに装着する。
【０２５６】
ステップ３０１００４において、上記ジグ３０２０Ａを調整して、上記焦点調整機構３０１２と上記支持構造物３０１３を上記ジグ３０２０Ａ上に固定する。
【０２５７】
ステップ３０１００５において、上記各光学レンズ３０１１を順次上記支持構造物３０１３の内部空間に組み立てて固定して、上記固定レンズアセンブリ１を形成する。
【０２５８】
ステップ３０１００６において、上記ジグ３０２０Ａから分離式レンズモジュール３０１０を取り外して、上記分離式レンズモジュール３０１０の組み立てを完了する。
【０２５９】
上記ステップ３０１００１で、上記鏡筒部材３０１４を、上記ジグ３０２０Ａの上記第１の支持部３０２１Ａに逆さまに装着して、上記鏡筒部材３０１４が上記ジグ３０２０Ａの上記溝に装着されるようにして、ノズルまたはその他の真空機器を介上記ジグ３０２０Ａの底部に装着した後、上記第１の支持部３０２１Ａに配置された上記空気通路３０２３Ａを介して上記鏡筒部材３０１４を固定する。これにより、レンズの組立過程でスライド、揺れ、ズレなどの現象が発生することを防止して、組み立て精度を確保することができる。
【０２６０】
上記ステップ３０１００２で、一つの上記光学レンズ３０１１を、上記鏡筒部材３０１４の内部空間に装着して、接着剤または溶接方法で固定する。実施例では、熱硬化接着剤を用いて上記光学レンズ３０１１を固定する。
【０２６１】
また、当該分野の当業者は、複数の光学レンズ３０１１を、上記鏡筒部材３０１４に固定してもよく、レンズの数量と鏡筒部材の数量は例示であるだけで、本発明を制限するためのではない。
【０２６２】
上記ステップ３０１００３で、上記鏡筒部材３０１４の底部に接着剤を塗布してもよく、上記支持構造物３０１３の上部に接着剤を塗布してもよい。次に、両者を重畳されるように結合して組み立てる。例えば、塗布する上記接着剤３は、熱硬化接着剤として選択し、または熱硬化接着剤とＵＶ接着剤の混合剤として選択することができる。その後、上記支持構造物３０１３を、上記鏡筒部材３０１４の底部に逆さまに装着することにより、上記接着剤３を介して上記鏡筒部材３０１４と上記支持構造物３０１３の予め組み立てを完了する。上記鏡筒部材３０１４の組立位置は調整可能であり、上記支持構造物３０１３における上記焦点調整機構３０１２よりも高い部分は、上記ジグ３０２０Ａの上記溝に位置し、かつ、上記焦点調整機構３０１２を上記第２の支持部３０２２Ａに装着する。
【０２６３】
なお、上記ステップ３０１００３で、上記支持構造物３０１３は、設計時、鏡筒と焦点調整機構のホルダーの２つの機能を備えるように設計されているので、上記焦点調整機構３０１２と上記支持構造物３０１３は、以下のような３つの方法のうちの一つの方法で組み立てることができる。（ａ）上記焦点調整機構３０１２は、上記支持構造物３０１３と予め接続されて、上記支持構造物３０１３が焦点調整機構３０１２のホルダー機能を実行するようにし、両者が一体として、上記ジグ３０２０上に逆さまに装着されることにより、さらに、鏡筒の機能を実行するようにする。（ｂ）上記焦点調整機構３０１２と上記支持構造物３０１３をマッチングされる上記ジグ３０２０上にそれぞれ逆さまに装着した後、両者を組み立てる。（ｃ）上記各光学レンズ３０１１を上記支持構造物３０１３の内部に装着した後、上記支持構造物３０１３が鏡筒の機能を実行するようにし、上記各光学レンズ３０１１と一体に組み立てた後、上記支持構造物３０１３と上記焦点調整機構３０１２を組み立てることにより、さらに上記焦点調整機構３０１２のホルダーの機能を実行するようにする。
【０２６４】
上記ステップ３０１００４で、上記ジグ３０２０Ａを調整して、ノズルまたは真空機器と配合するようにし、上記ジグ３０２０Ａの底部では、上記ノズルまたは真空機器が上記空気通路３０２３Ａを向かって加圧するようすることにより、上記空気通路３０２３Ａを介して吸引を行い、上記焦点調整機構３０１２を固定し、さらに、上記焦点調整機構３０１２を上記ジグ３０２０Ａの上記第２の支持部３０２２Ａに固定する。上記支持構造物３０１３は、上記鏡筒部材３０１４との間の接着剤を介して上記溝に強固に固定されることにより、その後の組立工程でスライド、揺れ、ズレなどの現象が発生すること防止し、組み立て偏差を減らし、組み立て精度を確保することができる。
【０２６５】
上記ステップ３０１００５で、上記各光学レンズ３０１１を装着する。例えば、本好ましい実施例では、３つの光学レンズ３０１１を装着し、本好ましい実施例は、上記光学レンズ１１を一つずつ装着する方法を用いて、３つの光学レンズ３０１１を順次に装着した後、熱硬化接着剤を用いて直接固定する。光学レンズを１つ装着するたびに固定してもよく、すべての光学レンズを装着した後、固定してもよく、これは実際の状況に応じて選択することができる。該当分野の当業者達は、上記支持構造物３０１３の内壁の構造に応じて各上記光学レンズ３０１１の組立方式を選択することができることを理解できるだろう。例えば、３つの光学レンズ３０１１を予め組み合わせた後、一体に上記支持構造物３０１３の内部空間に装着することができる。
【０２６６】
上記ステップ３０１００６で、まず、ノズルまたはその他の真空機器を取り外した後、上記ジグ３０２０Ａから分離式レンズモジュール３０１０を取り出して、上記分離式レンズモジュール３０１０の組み立てを完了する。上記分離式レンズモジュール３０１０の取り外しは、上記空気通路３０２３Ａを介して気体を噴射して、上記分離式レンズモジュール３０１０に反対方向への力を加えて上記分離式レンズモジュール３０１０を押して取り出す方法を利用することもできる。または、実際の状況に応じて他の方法で上記分離式レンズモジュール３０１０を着脱することができる。
【０２６７】
上記調整待ちレンズアセンブリ２は、上記分離式レンズモジュール３０１０に予め組み立てられ、その組立位置は調整可能である。上記分離式レンズモジュール３０１０を撮像モジュールに組み立てた後、上記調整待ちレンズアセンブリ２を調整することにより、撮像モジュールの結像画像が解像度の要求に合致するようにした後、上記調整待ちレンズアセンブリ２を完全に固定する。
【０２６８】
また、本好ましい実施例において、上記鏡筒部材３０１４と上記支持構造物３０１３の予め組み立てを完了した後、上記各光学レンズ３０１１をそれぞれ順次に上記鏡筒部材３０１４と上記支持構造物にしっかりと固定することにより、上記分離式レンズモジュール３０１０の予め組み立てを完了する。すなわち、上記ステップ３０１００２での上記光学レンズ３０１１の組み立てを、上記ステップ１００５中の他の３つの光学レンズ３０１１との組立に変更する。
【０２６９】
図２５を参照して、上記好ましい実施形態に係る上記分離式レンズモジュール３０１０を含む撮像モジュールについて説明する。図２５に示すように、撮像モジュールは、上記分離式レンズモジュール３０１０と感光性デバイス３０３０Ａを含み、上記感光性デバイス３０３０Ａは、フィルタ３０３１Ａ、レンズベース３０３２Ａ、感光性チップ３０３３Ａと回路基板３０３４Ａを含む。上記感光性デバイスは、ＣＯＢ（ｃｈｉｐ  ｏｎ  ｂｏａｒｄ）工程を介して製造され、上記フィルタ３０３１Ａは、上記レンズベース３０３２Ａの内部の上方に装着され上記レンズベース３０３２Ａと接続され、上記感光性チップ３０３３Ａの上方に装着される。上記感光性チップ３０３３Ａは、上記レンズベース３０３２Ａの内壁と一定の距離を持つように、上記回路基板３０３４Ａの上部に取り付けられる。上記回路基板３０３４Ａは、上記レンズベース３０３２Ａの底部に装着され、上記感光性チップ３０３３Ａは、上記レンズベース３０３２Ａの内部の空間に装着される。上記分離式レンズモジュール３０１０は、上記感光性デバイス３０３０Ａの上部に装着され、上記感光性チップ３０３３Ａの感光経路に位置する。物体によって反射された光線が上記分離式レンズモジュール３０１０を介して上記撮像モジュールの内部に入射される場合に、上記感光性チップ３０３３Ａに照射され、光電気変換が行われることにより、上記撮像モジュールが物体の画像を取得することができる。
【０２７０】
さらに、上記焦点調整機構３０１２と上記支持構造物３０１３は、それぞれ上記レンズベース３０３２Ａの上部に固定され装着され、上記レンズベース３０３２Ａと接続されて、各上記光学レンズ３０１１がそれぞれ上記感光性チップ３０３３の感光経路に位置するようにすることにより、後続的に結像が行われて、さらに上記撮像モジュールがさらに安定的に動作するようになる。
【０２７１】
なお、上記分離式レンズモジュール３０１０と上記感光性デバイス３０３０Ａを組み立てることにより、上記撮像モジュールの予め組み立てを完了する。予め組み立てられた上記撮像モジュールに通電して、撮像モジュールの結像画像を取得する。上記撮像モジュールの結像は光学的方法に基づいて、ソフトウェアを用いて、上記調整待ちレンズアセンブリ２の調整方式と調整量を算出し、調整量に応じて上記調整待ちレンズアセンブリ２の組立位置を調整する。これにより、上記分離式レンズモジュール３０１０の中心軸線と、上記感光性チップ３０３３Ａの中心軸線とが重畳され、または許容偏差の範囲内に位置するようにし、さらに、上記撮像モジュールの結像画像が解像度の要求に合致するようにした後、上記調整待ちレンズアセンブリ２を完全に固定し、上記鏡筒部材３０１４と上記支持構造物３０１３が固定されるようにする。すなわち、上記調整待ちレンズアセンブリ２と上記固定レンズアセンブリ１を固定することにより、上記撮像モジュールの組立を完了する。
【０２７２】
好ましくは、上記調整待ちレンズアセンブリ２と上記固定レンズアセンブリ１の組み立てに使用される上記接着剤３の半硬化状態で予め組み立てを進めすることにより、上記調整待ちレンズアセンブリ２を半固定式に固定してシフトを防止することができる。また、調整を行うこともできるので、調整を行って後、上記接着剤３の完全硬化によって上記調整待ちレンズアセンブリ２を固定して、上記撮像モジュールの組み立てを完了する。
【０２７３】
上記調整待ちレンズアセンブリ２の組立位置は、上記撮像モジュールのＸ、Ｙ、Ｚ、Ｕ、Ｖ、Ｗなどの６つの軸方向へ調整可能である。
【０２７４】
図２６を参照して、上記好ましい実施形態に係る上記分離式レンズモジュール３０１０を含む撮像モジュールの一実施例について説明する。図２６に示すように、撮像モジュールは、上記分離式レンズモジュール３０１０と感光性デバイス３０３０Ｂを含み、上記感光性デバイス３０３０Ｂは、フィルタ３０３１Ｂ、レンズベース３０３２Ｂ、感光性チップ３０３３Ｂと回路基板３０３４Ｂを含む。上記感光性デバイス３０３０Ｂは、フリップチップ（ｃｈｉｐ  ｏｎ  ｂｏａｒｄ）工程を通じて製造される。上記フィルタ３０３１Ｂは、上記レンズベース３０３２Ｂの内部の上方に装着され、上記レンズベース３０３２Ｂに接続され、上記感光性チップ３０３３Ｂは、上記フィルタ３０３１Ｂの下部に一定の距離を保つように装着される。上記感光性チップ３０３３Ｂは、上記レンズベース３０３２Ｂと直接接続され、上記レンズベース３０３２Ｂ底部に装着された上記回路基板３０３４Ｂと一定の距離を維持する。上記レンズベース３０３２Ｂは、電気機能を備え、対応する電気素子を内部に内蔵し、上記撮像モジュールの結像画像を確保するとともに、上記感光性デバイス３０３０Ｂの厚さがより薄く、サイズがよりコンパクトになって、上記撮像モジュールのサイズを削減することができる。
【０２７５】
上記分離式レンズモジュール３０１０は、上記感光性デバイス３０３０Ｂの上部に装着され、上記感光性チップ３０３３Ｂの感光経路に位置する。物体によって反射された光線が上記分離式レンズモジュール３０１０を介して上記撮像モジュールの内部に入射される場合に、上記感光性チップ３０３３Ｂに照射され、光電気変換が行われることにより、上記撮像モジュールが物体の画像を取得することができる。
【０２７６】
さらに、上記焦点調整機構３０１２と上記支持構造物３０１３は、それぞれ上記レンズベース３０３２Ｂの上部に固定され装着され、上記レンズベース３０３２Ｂと接続されて、各上記光学レンズ３０１１がそれぞれ上記感光性チップ３０３３Ｂの感光経路に位置することで、後続的に結像が行われ、上記撮像モジュールがさらに安定的に動作し、動作の信頼性を向上させることができる。
【０２７７】
該当分野の当業者は、上記説明及び図面に示された本発明の実施例が例示であるだけで、本発明を制限するためのものではないことを理解する。本発明の目的は、十分に効率的に実現されている。本発明の機能および構成原理も実施例で説明しており、上記原理に違反しない限り、本発明の実施例についてさまざまな変形及び修正を行うことができる。
【符号の説明】
【０２７８】
１  固定レンズアセンブリ
２  レンズアセンブリ
３  接着剤
１０  撮像モジュール
１１  光学レンズ
１３  支持構造物
２０  感光性デバイス
９００  組立方法
１００５  ステップ
１０１０  レンズモジュール（レンズアセンブリ）
１０１０Ａ  レンズモジュール（レンズアセンブリ）
１０１１  光学レンズ
１０１１Ａ  光学レンズ
１０１２  焦点調整機構
１０１２Ａ  焦点調整機構
１０１３  支持構造物
１０１３Ａ  支持構造物
１０２０  ジグ
１０２０Ａ  ジグ
１０２１  第１の支持部
１０２１Ａ  第１の支持部
１０２２  第２の支持部
１０２２Ａ  第２の支持部
１０２３  空気通路
１０２３Ａ  空気通路
１０３０  感光性デバイス
１０３０Ｂ  感光性デバイス
１０３１  フィルタ
１０３１Ｂ  フィルタ
１０３２  レンズベース
１０３２Ｂ  レンズベース
１０３３  感光性チップ
１０３３Ｂ  感光性チップ
１０３４  回路基板
１０３４Ｂ  回路基板
２０１０  光学レンズアセンブリ
２０１０Ｂ  光学レンズアセンブリ
２０１１  第１の光学レンズ
２０１１Ｂ  第１の光学レンズ
２０１２  焦点調整機構
２０１２Ｂ  焦点調整機構
２０１３  支持構造物
２０１３Ｂ  支持構造物
２０２０  ジグ
２０２１  第１の支持部
２０２２  第２の支持部
２０２３  空気通路
２０３０  感光性デバイス
２０３０Ａ  感光性デバイス
２０３０Ｂ  感光性デバイス
２０３１  フィルタ
２０３１Ａ  フィルタ
２０３１Ｂ  フィルタ
２０３２  レンズベース
２０３２Ａ  レンズベース
２０３２Ｂ  レンズベース
２０３３  感光性チップ
２０３３Ａ  感光性チップ
２０３３Ｂ  感光性チップ
２０３４  回路基板
２０３４Ａ  回路基板
２０３４Ｂ  回路基板
３０１０  分離式レンズモジュール
３０１１  光学レンズ
３０１２  焦点調整機構
３０１３  支持構造物
３０１４  鏡筒部材
３０２０  ジグ
３０２０Ａ  ジグ
３０２１  第１の支持部
３０２１Ａ  第１の支持部
３０２２  第２の支持部
３０２２Ａ  第２の支持部
３０２３  空気通路
３０２３Ａ  空気通路
３０３０Ａ  感光性デバイス
３０３０Ｂ  感光性デバイス
３０３１Ａ  フィルタ
３０３１Ｂ  フィルタ
３０３２Ａ  レンズベース
３０３２Ｂ  レンズベース
３０３３  感光性チップ
３０３３Ａ  感光性チップ
３０３３Ｂ  感光性チップ
３０３４Ａ  回路基板
３０３４Ｂ  回路基板
１０１１１  第１の光学レンズ
１０１１２  第２の光学レンズ
１０１１３  第３の光学レンズ
１０１１４  第４の光学レンズ
１０１３１  収納室
１０１３１Ａ  収納室
１０１３２  固定部
１０１３２Ａ  固定部
２０１１１  第１の光学レンズ
２０１１１Ｂ  第１の光学レンズ
２０１１２  第２の光学レンズ
２０１１２Ｂ  第２の光学レンズ
２０１１３  第３の光学レンズ
２０１１３Ｂ  第３の光学レンズ
２０１１４  第４の光学レンズ
２０１１４Ｂ  第４の光学レンズ
２０１３１  収納室
２０１３１Ｂ  収納室
２０１３２  固定部
２０１３２Ｂ  固定部
２０１３３  調整通路
２０１３３Ｂ  調整通路
２０１３４  固定通路
２０９００  組立方法
２０９０１  ステップ
２０９０２  ステップ
２０９０３  ステップ
２０９０４  ステップ
２０９０５  ステップ
３０１００  レンズアセンブリ
３０９０１  ステップ
３０９０２  ステップ
３０９０３  ステップ
３０９０４  ステップ
３０９０５  ステップ
３０９０６  ステップ
１０１０００  組立方法
１０１００１  ステップ
１０１００２  ステップ
１０１００３  ステップ
１０１００４  ステップ
２０１０００  組立方法
２０１００１  ステップ
２０１００２  ステップ
２０１００３  ステップ
２０１００４  ステップ
２０１００５  ステップ
２０１００６  ステップ
２０１００７  ステップ
２０１００８  ステップ
２０１１１３Ｂ  光学レンズ
３０１０００  第二の組立方法
３０１００１  ステップ
３０１００２  ステップ
３０１００３  ステップ
３０１００４  ステップ
３０１００５  ステップ
３０１００６  ステップ
【図１】
0006782780.tif 000002
【図２】
0006782780.tif 000003
【図３】
0006782780.tif 000004
【図４】
0006782780.tif 000005
【図５】
0006782780.tif 000006
【図６】
0006782780.tif 000007
【図７】
0006782780.tif 000008
【図８】
0006782780.tif 000009
【図９】
0006782780.tif 000010
【図１０】
0006782780.tif 000011
【図１１Ａ】
0006782780.tif 000012
【図１１Ｂ】
0006782780.tif 000013
【図１２】
0006782780.tif 000014
【図１３】
0006782780.tif 000015
【図１４】
0006782780.tif 000016
【図１５】
0006782780.tif 000017
【図１６】
0006782780.tif 000018
【図１７】
0006782780.tif 000019
【図１８】
0006782780.tif 000020
【図１９】
0006782780.tif 000021
【図２０】
0006782780.tif 000022
【図２１】
0006782780.tif 000023
【図２２】
0006782780.tif 000024
【図２３】
0006782780.tif 000025
【図２４】
0006782780.tif 000026
【図２５】
0006782780.tif 000027
【図２６】
0006782780.tif 000028
【図２７】
0006782780.tif 000029
【図２８】
0006782780.tif 000030